(57)【要約】  情報提示装置（１００）は、映像情報を提示し、操作装置（２００）は、映像情報が提示されている間に、ユーザによる所定の入力操作を受け付け、誘導情報管理装置（３００）は、入力操作が受け付けられた日時を示す日時情報と、入力操作が受け付けられた際に提示された映像情報を特定するための映像特定情報と、日時情報と映像特定情報とによって特定される、ユーザを誘導するための誘導先を示す誘導先情報とを関連付けてデータベースに記憶し、誘導装置（４００）は、ユーザからの要求に応じて誘導先情報を提示する。
2015015779.tif 000002
【特許請求の範囲】
【請求項１】
映像情報を提示する映像情報提示ステップと、
前記映像情報が提示されている間に、ユーザによる所定の入力操作を受け付ける操作ステップと、
前記操作ステップにおいて前記入力操作が受け付けられた日時を示す日時情報と、前記入力操作が受け付けられた際に前記映像情報提示ステップにおいて提示された前記映像情報を特定するための映像特定情報とによって特定される、前記ユーザを誘導するための誘導先を示す誘導先情報を取得する誘導先取得ステップと、
前記日時情報と前記映像特定情報と前記誘導先情報とを関連付けてデータベースに記憶する記憶ステップと、
前記ユーザからの要求に応じて前記誘導先情報を提示する誘導先提示ステップと、
を含む情報提示方法。
【請求項２】
前記誘導先情報は、前記日時情報と前記映像特定情報とによって特定される、前記映像情報において紹介された場所を示す情報を含む、
請求項１記載の情報提示方法。
【請求項３】
前記誘導先情報は、前記日時情報と前記映像特定情報とによって特定される、前記映像情報において紹介された商品を販売するネットワーク上のアドレスを示す情報を含む、
請求項１記載の情報提示方法。
【請求項４】
前記操作ステップは、前記映像情報を提示している間に、前記ユーザによる所定のボタンの押下を受け付ける、
請求項１〜３のいずれかに記載の情報提示方法。
【請求項５】
前記操作ステップは、前記映像情報を提示している間に、前記ユーザによって発話された音声を受け付ける、
請求項１〜３のいずれかに記載の情報提示方法。
【請求項６】
前記操作ステップは、前記映像情報を提示している間に、前記ユーザによって入力された文字を受け付ける、
請求項１〜３のいずれかに記載の情報提示方法。
【請求項７】
前記操作ステップは、前記映像情報を提示している間に、前記ユーザの画面上の視線の位置を示す視線情報を受け付ける、
請求項１〜６のいずれかに記載の情報提示方法。
【請求項８】
前記誘導先提示ステップは、前記誘導先情報を画面上に表示し、
前記操作ステップは、ポインティングデバイスによって指示される前記画面上の位置座標の入力操作を受け付け、
前記操作ステップにおいて受け付けられた前記位置座標に対応付けられている前記誘導先情報を取得する取得ステップをさらに含み、
前記記憶ステップは、前記日時情報と、前記映像特定情報と、前記取得ステップにおいて取得された前記誘導先情報とを記憶する、
請求項１〜６のいずれかに記載の情報提示方法。
【請求項９】
前記記憶ステップは、前記ユーザを識別するためのユーザ情報をさらに関連付けて記憶する、
請求項１〜８のいずれかに記載の情報提示方法。
【請求項１０】
前記記憶ステップは、前記映像情報提示ステップにおいて前記映像情報を提示する情報提示装置を識別するための情報提示装置識別情報をさらに関連付けて記憶する、
請求項１〜９のいずれかに記載の情報提示方法。
【請求項１１】
前記記憶ステップは、前記誘導先提示ステップにおいて前記誘導先情報を提示する誘導装置を識別するための誘導装置識別情報をさらに関連付けて記憶する、
請求項１〜１０のいずれかに記載の情報提示方法。
【請求項１２】
前記ユーザによる入力操作が受け付けられた際に提示された前記映像情報に含まれる画像と、他のユーザが複数の場所で撮影した画像とが類似しているか否かを判断し、類似している画像が存在する場合、前記他のユーザによって撮影された画像に付与されている位置情報を前記誘導先情報として生成する生成ステップをさらに含む、
請求項１〜１１のいずれかに記載の情報提示方法。
【請求項１３】
前記生成ステップは、複数の誘導先情報が生成された場合、前記操作ステップにおいて受け付けられた入力操作に応じて、前記複数の誘導先情報の優先度を決定し、
前記誘導先提示ステップは、決定された前記優先度に応じて前記複数の誘導先情報を提示する、
請求項１２記載の情報提示方法。
【請求項１４】
前記記憶ステップにおいて前記誘導先情報が前記データベースに記憶された後に、前記誘導先情報が前記データベースに記憶されたことを示す情報を提示する記憶完了提示ステップをさらに含む、
請求項１〜１３のいずれかに記載の情報提示方法。
【請求項１５】
前記誘導先提示ステップは、前記ユーザからの要求に応じて、前記誘導先情報が前記データベースに記憶されているか否かを提示する、
請求項１〜１４のいずれかに記載の情報提示方法。
【請求項１６】
前記誘導先提示ステップは、複数の誘導先情報が提示される場合、前記映像情報が提示された順に、前記複数の誘導先情報を提示する、
請求項１〜１２のいずれかに記載の情報提示方法。
【請求項１７】
前記データベースに記憶されている前記誘導先情報と同じ誘導先情報が、複数の他のユーザによって他のデータベースに記憶されている数を計数する計数ステップをさらに含み、
前記誘導先提示ステップは、複数の誘導先情報が提示される場合、前記他のデータベースに記憶されている数が多い順に、前記複数の誘導先情報を提示する、
請求項１〜１２のいずれかに記載の情報提示方法。
【請求項１８】
前記誘導先提示ステップは、複数の誘導先情報が提示される場合、前記複数の誘導先情報を提示する提示装置の現在位置から近い順に、前記複数の誘導先情報を提示する、
請求項１〜１２のいずれかに記載の情報提示方法。
【請求項１９】
ユーザによる操作を受け付けるための操作プログラムであって、
映像情報が提示されている間に、前記ユーザによる所定の入力操作を受け付ける操作部と、
前記操作部によって前記入力操作が受け付けられた日時を示す日時情報を送信する送信部としてコンピュータを機能させ、
前記日時情報は、前記入力操作が受け付けられた際に提示された前記映像情報を特定するための映像特定情報とともに、前記ユーザを誘導するための誘導先を示す誘導先情報を特定するために利用される、
操作プログラム。
【請求項２０】
映像情報を提示する情報提示装置と、
前記映像情報が提示されている間に、ユーザによる所定の入力操作を受け付ける操作装置と、
前記操作装置によって前記入力操作が受け付けられた日時を示す日時情報と、前記入力操作が受け付けられた際に前記情報提示装置によって提示された前記映像情報を特定するための映像特定情報と、前記日時情報と前記映像特定情報とによって特定される、前記ユーザを誘導するための誘導先を示す誘導先情報とを関連付けてデータベースに記憶する誘導情報管理装置と、
前記誘導情報管理装置によって記憶された前記誘導先情報を提示する提示装置と、
を備える情報提示システム。
【発明の詳細な説明】
【技術分野】
【０００１】
本発明は、情報を提示する情報提示方法、操作プログラム及び情報提示システムに関連するものである。
【背景技術】
【０００２】
従来、映像出力中の任意のタイミングで入力されるユーザの操作入力を受け付けることにより、そのとき映像出力されている映像データに付随した地点情報をユーザが使用する通信端末に転送する技術が提案されている（例えば、特許文献１参照）。【０００３】
しかしながら、前記従来の構成では、映像出力中には映像データに付随した地点情報が存在しない場合、又は、同時に複数の地点情報を含む場合に、地点情報を取得することができないという課題を有していた。
【先行技術文献】
【特許文献】
【０００４】
【特許文献１】国際公開第２００７／０９９８１５号
【発明の概要】
【０００５】
本発明は、上記の問題を解決するためになされたもので、ユーザが映像情報を視聴している間に興味を持った場面で紹介された誘導先にユーザを誘導することができる情報提示方法、操作プログラム及び情報提示システムを提供することを目的とするものである。
【０００６】
本発明の一局面に係る情報提示方法は、映像情報を提示する映像情報提示ステップと、前記映像情報が提示されている間に、ユーザによる所定の入力操作を受け付ける操作ステップと、前記操作ステップにおいて前記入力操作が受け付けられた日時を示す日時情報と、前記入力操作が受け付けられた際に前記映像情報提示ステップにおいて提示された前記映像情報を特定するための映像特定情報とによって特定される、前記ユーザを誘導するための誘導先を示す誘導先情報を取得する誘導先取得ステップと、前記日時情報と前記映像特定情報と前記誘導先情報とを関連付けてデータベースに記憶する記憶ステップと、前記ユーザからの要求に応じて前記誘導先情報を提示する誘導先提示ステップと、を含む。
【０００７】
本発明によれば、入力操作が受け付けられた日時を示す日時情報と、入力操作が受け付けられた際に提示された映像情報を特定するための映像特定情報とによって特定される、ユーザを誘導するための誘導先を示す誘導先情報が取得され、日時情報と映像特定情報と誘導先情報とが関連付けられてデータベースに記憶されるので、ユーザが映像情報を視聴している間に興味を持った場面で紹介された誘導先にユーザを誘導することができる。
【図面の簡単な説明】
【０００８】
【図１】（Ａ）は、本実施の形態における情報提示システムが提供するサービスの全体像を示す図であり、（Ｂ）は、機器メーカがデータセンタ運営会社に該当する例を示す図であり、（Ｃ）は、機器メーカ及び管理会社の両者又はいずれか一方がデータセンタ運営会社に該当する例を示す図である。
【図２】本発明の実施の形態１における情報提示システムの全体構成を示す図である。
【図３】本発明の実施の形態１における情報提示装置及び操作装置の詳細構成を示す図である。
【図４】本発明の実施の形態１における誘導情報管理装置の詳細構成を示す図である。
【図５】本発明の実施の形態１における入力記憶部に記憶される興味情報テーブルの一例を示す図である。
【図６】本発明の実施の形態１におけるメタ情報記憶部に記憶されるメタ情報テーブルの一例を示す図である。
【図７】本発明の実施の形態１における誘導装置の詳細構成を示す図である。
【図８】本発明の実施の形態１における情報提示装置の動作を示すフローチャートである。
【図９】本発明の実施の形態１における操作装置の動作を示すフローチャートである。
【図１０】本発明の実施の形態１において、番組の視聴中に操作装置及び情報提示装置に表示される画面の一例を示す図である。
【図１１】本発明の実施の形態１において、番組の視聴中に情報提示装置に表示される画面の一例を示す図である。
【図１２】本発明の実施の形態１における誘導情報管理装置の動作を示すフローチャートである。
【図１３】誘導先情報が提示情報記憶部に記憶された場合に、情報提示装置に表示される画面の一例を示す図である。
【図１４】誘導先情報が提示情報記憶部に記憶された場合に、操作装置に表示される画面の一例を示す図である。
【図１５】本発明の実施の形態１における誘導装置の動作を示すフローチャートである。
【図１６】誘導装置に表示されるメニュー画面の一例を示す図である。
【図１７】視聴した日時の順番で誘導装置に表示される誘導先情報の一例を示す図である。
【図１８】現在位置から近い順番で誘導装置に表示される誘導先情報の一例を示す図である。
【図１９】同一のユーザにより登録された回数が多い順番で誘導装置に表示される誘導先情報の一例を示す図である。
【図２０】他のユーザにより登録された回数が多い順番で誘導装置に表示される誘導先情報の一例を示す図である。
【図２１】視聴した日時の順番で誘導装置に表示される誘導先情報の他の例を示す図である。
【図２２】誘導装置に表示される現在位置に最も近い誘導先情報の一例を示す図である。
【図２３】誘導装置に表示される、現在位置から目的地までの経路上に存在する誘導先情報の一例を示す図である。
【図２４】誘導装置に表示される、ユーザが視聴した番組で紹介された他の誘導先情報の一例を示す図である。
【図２５】本発明の実施の形態１における情報提示システム全体の動作を説明するためのシーケンス図である。
【図２６】本発明の実施の形態２における情報提示装置及び操作装置の詳細構成を示す図である。
【図２７】本発明の実施の形態２における入力記憶部に記憶される興味情報テーブルの一例を示す図である。
【図２８】本発明の実施の形態２において、ユーザが行きたい場所を音声入力により興味情報として登録する処理について説明するための図である。
【図２９】本発明の実施の形態２において、ユーザが食べに行きたい場所を音声入力により興味情報として登録する処理について説明するための図である。
【図３０】本発明の実施の形態２において、ユーザが買いたい商品を音声入力により興味情報として登録する処理について説明するための図である。
【図３１】本発明の実施の形態２において、視聴中の番組に複数の場所が表示されている場合、ユーザが食べたい商品を音声入力により興味情報として登録する処理について説明するための図である。
【図３２】本発明の実施の形態３における情報提示装置及び操作装置の詳細構成を示す図である。
【図３３】本発明の実施の形態３における入力記憶部に記憶される興味情報テーブルの一例を示す図である。
【図３４】本発明の実施の形態３において、ユーザが食べたい商品を音声入力及び視線検出により興味情報として登録する処理について説明するための図である。
【図３５】本発明の実施の形態３において、ユーザが食べたい商品をポインティングデバイスにより興味情報として登録する処理について説明するための図である。
【図３６】本発明の実施の形態４における情報提示装置及び操作装置の詳細構成を示す図である。
【図３７】本発明の実施の形態４において、ユーザが行きたい場所を文字入力により興味情報として登録する処理について説明するための図である。
【図３８】本発明の実施の形態５における誘導装置の詳細構成を示す図である。
【図３９】本発明の実施の形態６における誘導情報管理装置の詳細構成を示す図である。
【図４０】本発明の実施の形態６の変形例における誘導情報管理装置の詳細構成を示す図である。
【図４１】サービスの類型１（自社データセンタ型クラウドサービス）における情報提示システムが提供するサービスの全体像を示す図である。
【図４２】サービスの類型２（ＩａａＳ利用型クラウドサービス）における情報提示システムが提供するサービスの全体像を示す図である。
【図４３】サービスの類型３（ＰａａＳ利用型クラウドサービス）における情報提示システムが提供するサービスの全体像を示す図である。
【図４４】サービスの類型４（ＳａａＳ利用型クラウドサービス）における情報提示システムが提供するサービスの全体像を示す図である。
【発明を実施するための形態】
【０００９】
以下本発明の実施の形態について、図面を参照しながら説明する。なお、以下の実施の形態は、本発明を具体化した一例であって、本発明の技術的範囲を限定するものではない。
【００１０】
（提供するサービスの全体像）
図１（Ａ）は、本実施の形態における情報提示システムが提供するサービスの全体像を示す図であり、図１（Ｂ）は、機器メーカがデータセンタ運営会社に該当する例を示す図であり、図１（Ｃ）は、機器メーカ及び管理会社の両者又はいずれか一方がデータセンタ運営会社に該当する例を示す図である。
【００１１】
グループ１０００は、例えば企業、団体又は家庭等であり、その規模を問わない。グループ１０００には、機器Ａ及び機器Ｂを含む複数の機器１０１０と、ホームゲートウェイ１０２０とが存在する。複数の機器１０１０は、インターネットと接続可能な機器（例えば、スマートフォン、パーソナルコンピュータ（ＰＣ）又はテレビ等）、及びそれ自身ではインターネットと接続不可能な機器（例えば、照明機器、洗濯機又は冷蔵庫等）を含む。複数の機器１０１０は、それ自身ではインターネットと接続不可能な機器であっても、ホームゲートウェイ１０２０を介してインターネットと接続可能となる機器を含んでもよい。また、ユーザ１は、グループ１０００内の複数の機器１０１０を使用する。例えば、グループ１０００に示す複数の機器１０１０のそれぞれが、本実施の形態における端末を構成する。
【００１２】
データセンタ運営会社１１００は、クラウドサーバ１１１０を備える。クラウドサーバ１１１０は、インターネットを介して様々な機器と連携する仮想化サーバである。クラウドサーバ１１１０は、主に通常のデータベース管理ツール等で扱うことが困難な巨大なデータ（ビッグデータ）等を管理する。データセンタ運営会社１１００は、データの管理、クラウドサーバ１１１０の管理、及びそれらを行うデータセンタの運営等を行っている。データセンタ運営会社１１００が行っている役務の詳細については後述する。
【００１３】
ここで、データセンタ運営会社１１００は、データの管理又はクラウドサーバ１１１０の運営等のみを行っている会社に限らない。例えば、図１（Ｂ）に示すように、複数の機器１０１０のうちの一つの機器を開発及び製造している機器メーカが、データの管理又はクラウドサーバ１１１０の管理等を行っている場合は、機器メーカがデータセンタ運営会社１１００に該当する。また、データセンタ運営会社１１００は一つの会社に限らない。例えば、図１（Ｃ）に示すように、機器メーカ及び他の管理会社が共同又は分担してデータ管理又はクラウドサーバ１１１０の運営を行っている場合は、両者又はいずれか一方がデータセンタ運営会社１１００に該当する。
【００１４】
サービスプロバイダ１２００は、サーバ１２１０を備える。ここで言うサーバ１２１０とは、その規模は問わず、例えば、個人用ＰＣ内のメモリ等も含む。また、サービスプロバイダ１２００がサーバ１２１０を備えていない場合もある。
【００１５】
なお、上記サービスにおいて、ホームゲートウェイ１０２０は必須ではない。例えば、クラウドサーバ１１１０が全てのデータを管理している場合等は、ホームゲートウェイ１０２０は不要となる。また、家庭内のあらゆる機器がインターネットに接続されている場合のように、それ自身ではインターネットと接続不可能な機器が存在しない場合もある。
【００１６】
次に、上記サービスにおける情報の流れを説明する。
【００１７】
まず、グループ１０００の機器Ａ又は機器Ｂは、各ログ情報をデータセンタ運営会社１１００のクラウドサーバ１１１０に送信する。クラウドサーバ１１１０は、機器Ａ又は機器Ｂのログ情報を集積する（図１（Ａ）の矢印１００１）。ここで、ログ情報とは、複数の機器１０１０の例えば運転状況又は動作日時等を示す情報である。例えば、ログ情報は、テレビの視聴履歴、レコーダーの録画予約情報、洗濯機の運転日時、洗濯物の量、冷蔵庫の開閉日時又は冷蔵庫の開閉回数などを含むが、これらの情報に限らず、種々の機器から取得が可能な種々の情報を含んでもよい。ログ情報は、インターネットを介して複数の機器１０１０自体から直接クラウドサーバ１１１０に提供されてもよい。また、ログ情報は、複数の機器１０１０から一旦ホームゲートウェイ１０２０に集積され、ホームゲートウェイ１０２０からクラウドサーバ１１１０に提供されてもよい。
【００１８】
次に、データセンタ運営会社１１００のクラウドサーバ１１１０は、集積したログ情報を一定の単位でサービスプロバイダ１２００に提供する。ここで、一定の単位とは、データセンタ運営会社１１００が集積した情報を整理してサービスプロバイダ１２００に提供することのできる単位でもよいし、サービスプロバイダ１２００が要求する単位でもよい。また、一定の単位で提供するとしているが、一定の単位でなくてもよく、状況に応じて提供する情報量が変化してもよい。ログ情報は、必要に応じてサービスプロバイダ１２００が備えるサーバ１２１に保存される（図１（Ａ）の矢印１００２）。
【００１９】
そして、サービスプロバイダ１２００は、ログ情報をユーザに提供するサービスに適合する情報に整理し、ユーザに提供する。サービスが提供されるユーザは、複数の機器１０１０を使用するユーザ１でもよいし、外部のユーザ２でもよい。ユーザ１，２へのサービス提供方法としては、例えば、サービスプロバイダ１２００から直接ユーザ１，２へサービスが提供されてもよい（図１（Ａ）の矢印１００３，１００４）。また、ユーザ１へのサービス提供方法としては、例えば、データセンタ運営会社１１００のクラウドサーバ１１１０を再度経由して、ユーザ１にサービスが提供されてもよい（図１（Ａ）の矢印１００５，１００６）。また、データセンタ運営会社１１００のクラウドサーバ１１１０は、ログ情報をユーザに提供するサービスに適合する情報に整理し、サービスプロバイダ１２００に提供してもよい。
【００２０】
なお、ユーザ１は、ユーザ２と異なっていても同一であってもよい。
【００２１】
（実施の形態１）
＜全体構成＞
図２は、本発明の実施の形態１における情報提示システムの全体構成を示す図である。情報提示システムは、情報提示装置１００、操作装置２００、誘導情報管理装置３００及び誘導装置４００を備える。
【００２２】
情報提示装置１００は、ネットワーク５００を介して操作装置２００と通信可能に接続されている。また、情報提示装置１００は、ネットワーク５００を介して誘導情報管理装置３００と通信可能に接続されている。誘導情報管理装置３００は、ネットワーク５００を介して誘導装置４００と通信可能に接続されている。ネットワーク５００は、例えば、インターネットである。
【００２３】
＜情報提示装置１００の詳細構成＞
図３は、本発明の実施の形態１における情報提示装置１００及び操作装置２００の詳細構成を示す図である。
【００２４】
図３に示すように、情報提示装置１００は、受信部１１０、復号部１２０、表示部１３０、設定記憶部１４０及び通信部１５０を備える。
【００２５】
受信部１１０は、設定記憶部１４０に設定されたチャネル情報に応じた放送波を受信する。
【００２６】
復号部１２０は、受信部１１０によって受信された放送波を復号する。
【００２７】
表示部１３０は、復号部１２０によって復号された放送波、又は通信部１５０によって受信された情報を提示（表示）する。表示部１３０は、映像情報を提示する。
【００２８】
設定記憶部１４０は、操作装置２００から送信されたチャネル情報、情報提示装置１００の識別番号（情報提示装置ＩＤ）、ユーザの識別番号（ユーザＩＤ）、及び誘導装置４００の識別番号（誘導装置ＩＤ）などを記憶する。
【００２９】
通信部１５０は、操作装置２００によって送信された日時情報を受信する。通信部１５０は、日時情報を受信した時、チャネル情報、情報提示装置１００の識別番号及びユーザの識別番号を設定記憶部１４０から読み出す。通信部１５０は、操作装置２００から受信した日時情報と、日時情報を受信した時に設定記憶部１４０から読み出したチャネル情報、情報提示装置１００の識別番号及びユーザの識別番号とを興味情報として誘導情報管理装置３００に送信する。
【００３０】
なお、表示部１３０は、例えば、液晶ディスプレイ、プラズマディスプレイ又はプロジェクタで構成され、自ら放送をユーザに見える形で出力してもよいし、映像信号及び音声信号を伝送する通信インターフェースを介して、別の表示装置で放送をユーザに見える形で出力してもよい。なお、情報提示装置１００は、受信した放送番組を内蔵の記憶装置に記憶してもよく、あるいは、有線ケーブル、無線ネットワーク又はインターネットなどを介して接続されている記憶装置（レコーダー装置）に受信した放送番組を記憶してもよく、放送時刻と異なる時間に放送番組を視聴することも可能である。
【００３１】
＜操作装置２００の詳細構成＞
図３に示すように、操作装置２００は、入力部２１０及びタイマ部２２０を備える。
【００３２】
入力部２１０は、ユーザが視聴中の番組に対して興味を持ったことを示す情報、又はユーザが興味を持った視聴中の番組で紹介された商品又は場所を特定するための情報の入力操作を受け付ける。これにより、ユーザは、表示部１３０から提示された情報に興味を持ったタイミングで、提示された情報に興味を持ったことを通知することができる。入力部２１０は、映像情報が提示されている間に、ユーザによる所定の入力操作を受け付ける。また、入力部２１０は、情報提示装置１００に対するチャネルの設定操作を受け付ける。
【００３３】
例えば、入力部２１０はボタンで構成される。ユーザは、表示部１３０から提示された映像情報に興味を持ったタイミングでボタンを押下することで、現在表示されている映像情報に興味を持ったということを入力する。入力部２１０は、ボタンの他に、例えば音声入力が可能な集音器で構成されてもよい。また、入力部２１０は、例えば視線入力が可能なデバイスで構成されてもよい。また、入力部２１０は、例えばジェスチャ入力が可能なセンサ又はカメラで構成されてもよい。また、入力部２１０は、例えば文字入力が可能なキーボードで構成されてもよい。また、入力部２１０は、例えば、マウスのようなポインティングデバイスで構成されてもよい。このように、入力部２１０は、ユーザが興味に関する情報を入力することができればどのような構成であってもよい。
【００３４】
例えば、操作装置２００がリモートコントローラで構成される場合、リモートコントローラは興味ボタンを備える。または、リモートコントローラに設けられた特定のボタンが興味ボタンの用途に利用される。番組の視聴中に関心のある候補地が紹介されると、ユーザは興味ボタンを押す。これにより、ユーザは、視聴中の番組に対して興味を持ったタイミングを入力することができる。
【００３５】
その他にも、例えば、操作装置２００がスマートフォンで構成される場合、スマートフォンは、表示画面上に興味ボタンを表示する。番組の視聴中に関心のある候補地が紹介されると、ユーザは、興味ボタンを押す。スマートフォンは、興味ボタンを表示する以外にも、入力操作を受け付けるためのアプリを動作させてもよく、周辺の音を集音するアプリを動作させてもよい。番組の視聴中に関心のある候補地が紹介されると、ユーザは、「行きたい」、「食べたい」又は「買いたい」などの要望を示す音声を発話する。アプリは、ユーザの要望を示す音声を集音する。これにより、入力部２１０は、視聴中の番組に対する要望を示す音声を発話したタイミングが、ユーザが番組に興味を持ったタイミングであると判定し、タイミング信号を出力する。タイマ部２２０は、タイミング信号の入力に応じて、日付及び時刻を示す日時情報を出力する。これにより、ユーザが視聴中の番組に興味を持ったシーンを特定することができる。
【００３６】
また、入力部２１０は、例えば、これらの入力操作に合わせて画面上におけるユーザの視線位置を取得することにより、ユーザが視聴中の番組のどの座標位置に提示された物又は場所に興味を持ったかを特定することができる。
【００３７】
また、例えば、視聴中の番組に複数の場所が表示されている場合、音声による入力を受け付ける際には、入力部２１０は、「ＸＸに行きたい」といったユーザの発話の内容を解析して、ユーザが「ＸＸ」に興味を持っていることを特定することができる。また、入力部２１０は、例えば、ボタンが押下された時点で情報提示装置１００に提示されているすべての情報について興味を持っていると判断してもよい。特に、ユーザがチャネルを設定し、視聴している映像及び音声については、ユーザが興味を持っていると推定することができる。
【００３８】
タイマ部２２０は、入力部２１０からユーザが現在表示されている映像情報に興味を持ったことを示す信号が入力された場合、信号が入力された時点の日時を示す日時情報を情報提示装置１００に出力する。
【００３９】
なお、操作装置２００と情報提示装置１００とは、例えば、赤外線通信、近接無線通信又は無線通信により互いに通信可能に接続されている。
【００４０】
本実施の形態では、操作装置２００がタイマ部２２０を備えているが、情報提示装置１００がタイマ部２２０を備えてもよく、表示部１３０からユーザに提示されている情報と、ユーザによる所定の入力操作との同期がとれていればよい。
【００４１】
タイマ部２２０は、入力部２１０からユーザが興味を持ったタイミングを意味する信号が入力され、日時情報を付与する際に、日時情報に対して所定の時間幅を持たせてもよい。例えば、一秒間の映像は３０枚の画像で構成されるが、日時情報は、特定の画像を特定する精度を有していなくてもよい。このように、タイマ部２２０は、付与する日時情報に、所定の時間幅を持たせることで、ユーザが入力部２１０に興味を示したことを入力した時刻と、情報提示装置１００に情報が提示された時刻とに多少のずれがあった場合でも、ユーザが興味を持った情報と提示された情報とをマッチングすることが可能となる。
【００４２】
例えば、タイマ部２２０は、入力操作が行われた時刻の前後５秒間を含む時間を日時情報としてもよい。
【００４３】
＜誘導情報管理装置３００の詳細構成＞
図４は、本発明の実施の形態１における誘導情報管理装置３００の詳細構成を示す図である。
【００４４】
図４に示すように、誘導情報管理装置３００は、受信部３１０、入力記憶部３２０、メタ情報記憶部３３０、登録部３４０、提示情報記憶部３５０、送信部３６０及びメタ情報取得部３７０を備える。
【００４５】
受信部３１０は、情報提示装置１００によって送信された興味情報を受信する。また、受信部３１０は、誘導装置４００によって送信された参照要求を受信する。
【００４６】
入力記憶部３２０は、受信部３１０によって受信された興味情報を記憶する。この時、入力記憶部３２０は、興味情報を記憶したタイミングを登録部３４０に通知してもよい。
【００４７】
図５は、本発明の実施の形態１における入力記憶部に記憶される興味情報テーブルの一例を示す図である。
【００４８】
図５に示すように、入力記憶部３２０は、日時情報とチャネル情報とを対応付けた興味情報テーブルを記憶している。なお、図５に示す興味情報テーブルは、情報提示装置の識別番号及びユーザの識別番号毎に設けられる。すなわち、情報提示装置１００から送信される興味情報は、日時情報、チャネル情報、情報提示装置の識別番号及びユーザの識別番号を含んでおり、入力記憶部３２０は、情報提示装置の識別番号及びユーザの識別番号に対応する興味情報テーブルに、日時情報及びチャネル情報を関連付けて記憶する。
【００４９】
メタ情報記憶部３３０は、情報提示装置１００から提示された映像情報に関連する情報（以下メタ情報ともいう）を記憶する。この時、メタ情報記憶部３３０は、メタ情報を記憶したタイミングを登録部３４０に通知してもよい。
【００５０】
メタ情報取得部３７０は、メタ情報を取得し、取得したメタ情報をメタ情報記憶部３３０に記憶する。
【００５１】
例えば、メタ情報取得部３７０は、メタ情報記憶部３３０に登録するメタ情報は、ＥＰＧ（Ｅｌｅｃｔｒｏｎｉｃ  Ｐｒｏｇｒａｍ  ｇｕｉｄｅ）を放送波の中から取り出し、取り出したＥＰＧをメタ情報としてメタ情報記憶部３３０に記憶してもよい。また、メタ情報取得部３７０は、インターネットなどのネットワークを介してＥＰＧを取得し、取得したＥＰＧをメタ情報としてメタ情報記憶部３３０に記憶してもよい。
【００５２】
なお、メタ情報は、ＥＰＧでなくてもよい。ＥＰＧは番組の主な情報に限定されており、十分な量のデータが含まれていないケースがある。ＥＰＧに加えて、番組に関する情報を提供する番組データベースサービスがある場合、メタ情報取得部３７０は、番組データベースサービスから番組に関する情報を取得して、メタ情報記憶部３３０に蓄積してもよい。また、メタ情報取得部３７０は、放送波を復号することにより画像を取得し、取得した画像を解析して特定の文字列又は特定の画像を抽出し、抽出した特定の文字列又は特定の画像に関連する情報をインターネットなどから取得して、メタ情報記憶部３３０に蓄積してもよい。
【００５３】
また、メタ情報取得部３７０は、同じ番組を視聴した他のユーザによって作成された番組に関する情報を取得して、メタ情報記憶部３３０に蓄積してもよい。例えば、メタ情報取得部３７０は、同じ映像を見た他のユーザによる場所情報の入力を受け付け、受け付けた場所情報をメタ情報記憶部３３０に蓄積してもよい。また、例えば、メタ情報取得部３７０は、他のユーザが映像を見た情報を収集し、それにより関連する情報を付与して蓄積してもよい。この際、メタ情報取得部３７０は、入力記憶部３２０にて保持した、ユーザから収集した文字列を利用してもよい。
【００５４】
なお、メタ情報は、日時情報と映像特定情報とによって特定される、映像情報において紹介された場所を示す誘導先情報を含む。また、メタ情報は、日時情報と映像特定情報とによって特定される、映像情報において紹介された商品を販売するネットワーク上のアドレスを示す誘導先情報を含む。
【００５５】
図６は、本発明の実施の形態１におけるメタ情報記憶部に記憶されるメタ情報テーブルの一例を示す図である。
【００５６】
図６に示すように、メタ情報テーブルは、チャネル情報、日時情報、番組名、スポット情報、位置情報、住所、関連商品、電話番号、ＵＲＬ、出演者及びシーン情報を対応付けて記憶する。メタ情報は、同一の番組であっても、シーン毎に存在する。
【００５７】
チャネル情報は、番組が放送された放送局を特定するための情報である。日時情報は、番組内の所定のシーンが放送された日時を示す情報である。番組名は、放送された番組名を示す情報である。スポット情報は、番組内の所定のシーンで紹介された場所の名称を示す情報である。位置情報は、番組内の所定のシーンで紹介された場所の位置を示す情報である。住所は、番組内の所定のシーンで紹介された場所の住所を示す情報である。関連商品は、番組内の所定のシーンで紹介された商品の名称を示す情報である。電話番号は、番組内の所定のシーンで紹介された場所の電話番号を示す情報である。ＵＲＬは、番組内の所定のシーンで紹介された場所のホームページのＵＲＬを示す情報である。出演者は、番組の所定のシーンの出演者を示す情報である。シーン情報は、番組内の所定のシーンの内容を説明した情報である。
【００５８】
登録部３４０は、入力記憶部３２０に記憶されている興味情報と、メタ情報記憶部３３０に記憶されているメタ情報に含まれる誘導先情報とを関連付けて提示情報記憶部３５０に記憶する。例えば、登録部３４０は、入力記憶部３２０に興味情報が記憶されたタイミングでメタ情報記憶部３３０を参照し、記憶された興味情報に含まれるチャネル情報及び日時情報により特定される番組に対応するメタ情報が記憶されていれば、当該メタ情報に含まれる誘導先情報を読み出し、提示情報記憶部３５０に興味情報及び誘導先情報を出力し、入力記憶部３２０に記憶されている興味情報を削除する。また、登録部３４０は、メタ情報記憶部３３０にメタ情報が記憶されたタイミングで入力記憶部３２０を参照し、メタ情報により特定される番組のチャネル情報及び日時情報に対応する興味情報が記憶されていれば、提示情報記憶部３５０に興味情報及び誘導先情報を出力し、入力記憶部３２０に記憶されている興味情報を削除する。
【００５９】
提示情報記憶部３５０は、登録部３４０から出力された興味情報及び誘導先情報を記憶する。この時、提示情報記憶部３５０は、誘導先情報を記憶したタイミングを送信部３６０に送信してもよい。登録部３４０は、映像情報が提示されている間にユーザによる入力操作が受け付けられた日時を示す日時情報と、入力操作が受け付けられた際に提示された映像情報を特定するための映像特定情報と、日時情報と映像特定情報とによって特定される、ユーザを誘導するための誘導先を示す誘導先情報とを関連付けて提示情報記憶部３５０に記憶する。なお、チャネル情報が、映像特定情報の一例に相当する。
【００６０】
例えば、提示情報記憶部３５０は、興味情報に含まれる日時情報と、メタ情報に含まれる場所の名称、住所及び番組名とを関連付けて記憶する。
【００６１】
送信部３６０は、受信部３１０によって誘導装置４００からの参照要求が受信された場合に、提示情報記憶部３５０から誘導先情報を取得し、取得した誘導先情報を誘導装置４００に送信する。また、送信部３６０は、誘導先情報が記憶されたことを示す信号を提示情報記憶部３５０から受け取った場合は、誘導先情報が記憶されたことを示す情報を、情報提示装置１００又は誘導装置４００に送信する。情報提示装置１００又は誘導装置４００は、誘導先情報が記憶されたことを示す情報を受信した場合、誘導先情報の登録が完了したことを、ユーザに通知する。情報提示装置１００又は誘導装置４００は、ユーザに候補地の登録が完了した旨を伝えるために、例えば「登録しました。」というメッセージを、音声で通知してもよいし、表示画面上にテキスト又はイラストなどで通知してもよい。
【００６２】
＜誘導装置４００の詳細構成＞
図７は、本発明の実施の形態１における誘導装置４００の詳細構成を示す図である。
【００６３】
図７に示すように、誘導装置４００は、通信部４１０、入力部４２０、目的地設定部４３０、経路特定部４４０、地図記憶部４５０、現在位置特定部４６０及び表示部４７０を備える。
【００６４】
通信部４１０は、入力部４２０によって誘導先情報の参照要求が入力された場合は、誘導情報管理装置３００へ参照要求を送信する。また、通信部４１０は、誘導情報管理装置３００によって送信された誘導先情報を受信する。
【００６５】
入力部４２０は、ユーザによる誘導装置４００への操作を受け付ける。例えば、入力部４２０は、誘導先情報を参照するための参照要求の入力を受け付ける。また、入力部４２０は、目的地に関連するキーワードの入力を受け付けたり、目的地の電話番号の入力を受け付けたり、目的地の住所の入力を受け付けたりする。また、入力部４２０は、表示部４７０に表示されたメニューから項目の指定を受け付ける。例えば、マウスポインタ、音声又はタッチスクリーンの操作などで特定の候補地をユーザに入力させてもよい。
【００６６】
目的地設定部４３０は、目的地の設定を行う。例えば、目的地設定部４３０は、通信部４１０によって受信された誘導先情報をプッシュ通知又はリスト表示して、誘導先情報の中からユーザによる特定の行き先の選択を受け付けることにより、目的地を設定する。また、例えば、目的地設定部４３０は、入力部によって受け付けられた、目的地に関連するキーワード、目的地の電話番号、又は目的地の住所に基づいて、目的地を設定してもよい。また、目的地設定部４３０は、目的地に加えて、経由地を設定してもよい。このとき、例えば、入力記憶部３２０に登録されていて、提示情報記憶部３５０にまだ登録されていない目的地については、選択できないようにしてもよい。
【００６７】
現在位置特定部４６０は、誘導装置４００の現在位置を特定する。例えば、現在位置特定部４６０は、ＧＰＳ（Ｇｌｏｂａｌ  Ｐｏｓｉｔｉｏｎｉｎｇ  Ｓｙｓｔｅｍ）などの測位システムによって現在位置を特定する。また、例えば、現在位置特定部４６０は、無線ＬＡＮ（Ｌｏｃａｌ  Ａｒｅａ  Ｎｅｔｗｏｒｋ）などの通信スポットによる測位システムによって現在位置を特定してもよいし、ＳＰモードなどの基地局データによる測位システムによって現在位置を特定してもよいし、ユーザが直接入力することによって現在位置を特定してもよい。
【００６８】
地図記憶部４５０は、地図情報を記憶しており、地形又は道路などの情報に加えて観光情報、店舗情報又はイベント情報などを記憶している。
【００６９】
経路特定部４４０は、現在位置特定部４６０によって特定された現在位置と、目的地設定部４３０によって設定された目的地と、地図記憶部４５０に記憶されている地図情報とを用いて、現在位置から目的地への最適な経路を特定する。
【００７０】
表示部４７０は、ユーザに対する誘導装置４００の操作画面、情報提示画面、又は経路案内情報を表示する。表示部４７０は、画像だけでなく、音声によってユーザに対して誘導先情報を提示してもよい。誘導装置４００が、例えば、カーナビゲーション装置、スマートフォン又はタブレット型コンピュータである場合、カーナビゲーション装置、スマートフォン又はタブレット型コンピュータは、それぞれの画面に誘導先情報を提示してもよいし、それぞれのスピーカから誘導先情報を音声で出力してもよい。このとき、例えば、表示部４７０は、入力記憶部３２０に登録されている興味情報が、誘導先情報に関連付けて提示情報記憶部３５０に登録された際には、誘導先情報が記憶されたことを通知してもよい。
【００７１】
以上、本発明の実施の形態１における情報提示システムの構成について説明した。
【００７２】
以下、本発明の実施の形態１における情報提示システムの動作について説明する。
【００７３】
＜情報提示システムの動作＞
＜情報提示装置１００の動作＞
図８は、本発明の実施の形態１における情報提示装置１００の動作を示すフローチャートである。
【００７４】
まず、情報提示装置１００の設定記憶部１４０は、操作装置２００から入力されたチャネル情報を取得して記憶するとともに、受信部１１０が受信する放送波のチャネルをチャネル情報に基づいて設定する（ステップＳ１）。
【００７５】
次に、受信部１１０は、設定されるチャネル情報に対応した放送波を受信し、復号部１２０は、受信した放送波を復号し、表示部１３０は、復号された映像及び音声を出力する（ステップＳ２）。
【００７６】
次に、通信部１５０は、操作装置２００によって送信された日時情報を受信したか否かを判断する（ステップＳ３）。ここで、日時情報を受信したと判断された場合（ステップＳ３でＹＥＳ）、通信部１５０は、設定記憶部１４０に記憶されているチャネル情報、ユーザの識別番号及び情報提示装置の識別番号を読み出し、読み出したチャネル情報、ユーザの識別番号及び情報提示装置の識別番号と、受信した日時情報とを含む興味情報を誘導情報管理装置３００に送信する（ステップＳ４）。その後、ステップＳ２の処理に戻る。
【００７７】
一方、日時情報を受信していないと判断された場合（ステップＳ３でＮＯ）、設定記憶部１４０は、チャネルを変更するチャネル情報が操作装置２００から入力されたか否かを判断する（ステップＳ５）。ここで、チャネルを変更すると判断された場合（ステップＳ５でＹＥＳ）、設定記憶部１４０は、操作装置２００から入力されたチャネル情報を記憶するとともに、受信部１１０が受信する放送波のチャネルをチャネル情報に基づいて変更する（ステップＳ６）。その後、ステップＳ２の処理に戻る。
【００７８】
一方、チャネルを変更しないと判断された場合（ステップＳ５でＮＯ）、設定記憶部１４０は、操作装置２００から電源をオフにする操作が入力されたか否かを判断する（ステップＳ７）。ここで、電源をオフにしないと判断された場合（ステップＳ７でＮＯ）、ステップＳ２の処理に戻る。一方、電源をオフにすると判断された場合（ステップＳ７でＹＥＳ）、設定記憶部１４０は、電源をオフにし、処理を終了する。
【００７９】
＜操作装置２００の動作＞
図９は、本発明の実施の形態１における操作装置２００の動作を示すフローチャートである。
【００８０】
まず、操作装置２００の入力部２１０は、情報提示装置１００によって表示された映像に対してユーザが興味を示したことを表す信号が入力されたか否か、すなわち、興味ボタンが押下されたか否かを判断する（ステップＳ１１）。ここで、興味ボタンが押下されたと判断された場合（ステップＳ１１でＹＥＳ）、タイマ部２２０は、興味ボタンが押下された時のタイマ情報を日時情報として情報提示装置１００に送信する（ステップＳ１２）。その後、ステップＳ１１の処理に戻る。
【００８１】
一方、興味ボタンが押下されていないと判断された場合（ステップＳ１１でＮＯ）、入力部２１０は、チャネルを変更する操作が入力されたか否かを判断する（ステップＳ１３）。ここで、チャネルを変更する操作が入力されたと判断された場合（ステップＳ１３でＹＥＳ）、入力部２１０は、チャネルを変更するためのチャネル情報を情報提示装置１００に送信する（ステップＳ１４）。その後、ステップＳ１１の処理に戻る。一方、チャネルを変更する操作が入力されていないと判断された場合（ステップＳ１３でＮＯ）、ステップＳ１１の処理に戻る。
【００８２】
図１０は、本発明の実施の形態１において、番組の視聴中に操作装置２００及び情報提示装置１００に表示される画面の一例を示す図である。
【００８３】
図１０に示すように、情報提示装置１００がテレビ番組を表示している際に、操作装置２００には、現在の日時、視聴中のチャネル番号、視聴中の番組名及び興味ボタン２１１が表示される。ユーザは、視聴中の番組内で興味のある場所又は商品が表示された際に、興味ボタン２１１を押下する。
【００８４】
なお、情報提示装置１００が、操作装置２００の機能を備えていてもよい。すなわち、図３に示す情報提示装置１００が、入力部２１０及びタイマ部２２０をさらに備えてもよい。
【００８５】
図１１は、本発明の実施の形態１において、番組の視聴中に情報提示装置１００に表示される画面の一例を示す図である。図１１において、情報提示装置１００は、操作装置２００の機能を備えている。そのため、情報提示装置１００には、視聴中のテレビ番組、現在の日時、視聴中のチャネル番号、視聴中の番組名及び興味ボタン２１１が表示される。ユーザは、視聴中の番組内で興味のある場所又は商品が表示された際に、興味ボタン２１１を押下する。
【００８６】
＜誘導情報管理装置３００の動作＞
図１２は、本発明の実施の形態１における誘導情報管理装置３００の動作を示すフローチャートである。
【００８７】
まず、誘導情報管理装置３００の受信部３１０は、情報提示装置１００によって送信された興味情報を受信したか否かを判断する（ステップＳ２１）。ここで、興味情報を受信したと判断された場合（ステップＳ２１でＹＥＳ）、受信部３１０は、受信した興味情報を入力記憶部３２０に記憶する（ステップＳ２２）。その後、ステップＳ２１の処理に戻る。
【００８８】
一方、興味情報を受信していないと判断された場合（ステップＳ２１でＮＯ）、登録部３４０は、入力記憶部３２０に記憶されている興味情報に含まれる日時情報及びチャネル情報によって特定される番組のメタ情報をメタ情報記憶部３３０が記憶しているか否かを判断する（ステップＳ２３）。ここで、興味情報によって特定される番組のメタ情報を記憶していると判断された場合（ステップＳ２３でＹＥＳ）、登録部３４０は、興味情報と、興味情報に対応したメタ情報に含まれる誘導先情報とを提示情報記憶部３５０に記憶する（ステップＳ２４）。
【００８９】
次に、送信部３６０は、誘導先情報が提示情報記憶部３５０に記憶されたことを、情報提示装置１００又は誘導装置４００に通知する（ステップＳ２５）。その後、ステップＳ２１の処理に戻る。一方、興味情報によって特定される番組のメタ情報を記憶していないと判断された場合（ステップＳ２３でＮＯ）、受信部３１０は、誘導先情報を参照するための参照要求を受信したか否かを判断する（ステップＳ２６）。ここで、参照要求を受信したと判断された場合（ステップＳ２６でＹＥＳ）、送信部３６０は、提示情報記憶部３５０に記憶されている誘導先情報を誘導装置４００へ送信する（ステップＳ２７）。その後、ステップＳ２１の処理に戻る。一方、参照要求を受信していないと判断された場合（ステップＳ２６でＮＯ）、ステップＳ２１の処理に戻る。
【００９０】
図１３は、誘導先情報が提示情報記憶部３５０に記憶された場合に、情報提示装置１００に表示される画面の一例を示す図である。
【００９１】
誘導情報管理装置３００において、誘導先情報が提示情報記憶部３５０に記憶された場合、誘導先情報が提示情報記憶部３５０に記憶されたことが、情報提示装置１００に通知される。
【００９２】
図１３に示すように、情報提示装置１００は、誘導先情報が記憶された場所の名称及び住所を表示するとともに、記憶された場所の名称を音声で出力する。
【００９３】
図１４は、誘導先情報が提示情報記憶部３５０に記憶された場合に、操作装置２００に表示される画面の一例を示す図である。
【００９４】
誘導情報管理装置３００において、誘導先情報が提示情報記憶部３５０に記憶された場合、誘導先情報が提示情報記憶部３５０に記憶されたことが、操作装置２００に通知される。
【００９５】
図１４に示すように、操作装置２００は、誘導先情報が記憶された場所の名称及び住所を表示するとともに、記憶された場所の名称を音声で出力する。なお、誘導先情報が提示情報記憶部３５０に記憶されたことが、情報提示装置１００及び操作装置２００の少なくとも一方に通知される。
【００９６】
このように、誘導先情報がデータベースに記憶された後に、誘導先情報がデータベースに記憶されたことを示す情報が提示される。したがって、誘導先情報が提示情報記憶部３５０に記憶されたことをユーザに通知することにより、ユーザは、視聴した番組内で紹介された場所に誘導可能になったことを知ることができ、誘導装置４００において目的地として設定することが可能になったことを知ることができる。
【００９７】
＜誘導装置４００の動作＞
図１５は、本発明の実施の形態１における誘導装置４００の動作を示すフローチャートである。
【００９８】
まず、誘導装置４００の現在位置特定部４６０は、誘導装置４００の現在位置を取得する（ステップＳ３１）。
【００９９】
次に、入力部４２０は、誘導先情報を参照するための参照要求の入力を受け付けたか否かを判断する（ステップＳ３２）。例えば、表示部４７０にメニュー画面が表示され、参照要求に対応する特定の項目が選択されることで参照要求の入力を受け付けたと判断する。ここで、参照要求の入力を受け付けていないと判断された場合（ステップＳ３２でＮＯ）、入力部４２０は、ユーザによる目的地の直接入力を受け付ける（ステップＳ３３）。
【０１００】
一方、参照要求の入力を受け付けたと判断された場合（ステップＳ３２でＹＥＳ）、通信部４１０は、誘導先情報の送信を要求する参照要求を誘導情報管理装置３００に送信する（ステップＳ３４）。
【０１０１】
次に、通信部４１０は、誘導情報管理装置３００によって送信された誘導先情報を受信する（ステップＳ３５）。
【０１０２】
次に、入力部４２０は、通信部４１０によって受信された誘導先情報の中からユーザが希望する目的地（誘導先情報）の選択を受け付ける（ステップＳ３６）。
【０１０３】
次に、目的地設定部４３０は、ユーザにより誘導先情報が選択された場合、選択された誘導先情報を目的地として経路特定部４４０に設定する（ステップＳ３７）。
【０１０４】
次に、経路特定部４４０は、現在位置特定部４６０によって取得された現在位置と、目的地設定部４３０によって設定された目的地と、地図記憶部４５０に記憶されている地図情報とに基づき、現在位置から目的地までの経路を決定する（ステップＳ３８）。
【０１０５】
次に、経路特定部４４０は、決定した経路に従い、現在位置から目的地までユーザを案内するための経路案内情報を表示部４７０から出力する（ステップＳ３９）。
【０１０６】
図１６は、誘導装置４００に表示されるメニュー画面の一例を示す図である。
【０１０７】
図１６に示すように、誘導装置４００には、目的地を設定するためのメニュー画面が表示される。メニュー画面は、キーワードにより目的地を入力するためのボタン４７１、住所により目的地を入力するためのボタン４７２、電話番号により目的地を入力するためのボタン４７３、お気に入りとして登録されている目的地を表示するためのボタン４７４、ユーザにお勧めの目的地を表示するためのボタン４７５、及び番組の視聴中に興味ボタンを押下することによって登録した目的地を表示するためのボタン４７６で構成される。
【０１０８】
ここで、ボタン４７６が押下された場合、通信部４１０は、参照要求を誘導情報管理装置３００へ送信する。そして、通信部４１０は、誘導情報管理装置３００によって送信された誘導先情報を受信し、表示部４７０は、受信された誘導先情報を表示する。
【０１０９】
図１７は、視聴した日時の順番で誘導装置４００に表示される誘導先情報の一例を示す図である。
【０１１０】
誘導装置４００は、ユーザが番組の視聴中に興味のある場所として登録した場所を一覧表示する。図１７に示すように、誘導装置４００は、誘導先の名称、誘導先の住所、視聴した番組、及び興味ボタンを押下した日時を表示する。各誘導先は、視聴した日時の順番で表示される。また、誘導装置４００は、各誘導先に対して、目的地として設定するためのボタン４７７と、リストから削除するためのボタン４７８とを表示する。
【０１１１】
ボタン４７７が押下されると、ボタン４７７に対応する誘導先が目的地として設定される。また、ボタン４７８が押下されると、誘導装置４００の通信部４１０は、ボタン４７８に対応する誘導先をデータベースから削除するための削除要求を誘導情報管理装置３００へ送信し、誘導情報管理装置３００の受信部３１０は、削除要求を受信すると、提示情報記憶部３５０から対応する誘導先情報を削除する。
【０１１２】
このように、ユーザからの要求に応じて、誘導先情報がデータベースに記憶されているか否かが提示される。また、複数の誘導先情報が提示される場合、映像情報が提示された順に、複数の誘導先情報が提示される。
【０１１３】
図１８は、現在位置から近い順番で誘導装置４００に表示される誘導先情報の一例を示す図である。
【０１１４】
誘導装置４００は、ユーザが番組の視聴中に興味のある場所として登録した場所を一覧表示する。図１８に示すように、誘導装置４００は、誘導先の名称、誘導先の住所、視聴した番組、及び現在位置からの距離を表示する。各誘導先は、現在位置から近い順番で表示される。また、誘導装置４００は、各誘導先に対して、目的地として設定するためのボタン４７７と、リストから削除するためのボタン４７８とを表示する。
【０１１５】
このように、複数の誘導先情報が提示される場合、複数の誘導先情報を提示する誘導装置４００の現在位置から近い順に、複数の誘導先情報が提示される。
【０１１６】
図１９は、同一のユーザにより登録された回数が多い順番で誘導装置４００に表示される誘導先情報の一例を示す図である。
【０１１７】
誘導装置４００は、ユーザが番組の視聴中に興味のある場所として登録した場所を一覧表示する。図１９に示すように、誘導装置４００は、誘導先の名称、誘導先の住所、視聴した番組、及び同一のユーザにより登録された回数を表示する。各誘導先は、同一のユーザにより登録された回数が多い順番で表示される。また、誘導装置４００は、各誘導先に対して、目的地として設定するためのボタン４７７と、リストから削除するためのボタン４７８とを表示する。
【０１１８】
同一の番組（シーン）を視聴している際に、複数回興味ボタンが押下された場合、複数の同一の誘導先情報が作成される。この同一の誘導先情報の数を計数し、登録回数として表示する。
【０１１９】
このように、複数の誘導先情報が提示される場合、同一のユーザにより登録されている回数が多い順に、複数の誘導先情報が提示される。
【０１２０】
図２０は、他のユーザにより登録された回数が多い順番で誘導装置４００に表示される誘導先情報の一例を示す図である。
【０１２１】
誘導装置４００は、ユーザが番組の視聴中に興味のある場所として登録した場所を一覧表示する。図２０に示すように、誘導装置４００は、誘導先の名称、誘導先の住所、視聴した番組、及び他のユーザにより登録された回数を表示する。各誘導先は、他のユーザにより登録された回数が多い順番で表示される。また、誘導装置４００は、各誘導先に対して、目的地として設定するためのボタン４７７と、リストから削除するためのボタン４７８とを表示する。
【０１２２】
誘導情報管理装置３００は、データベースに記憶されている誘導先情報と同じ誘導先情報が、複数の他のユーザによって他のデータベースに記憶されている数を計数する。そして、複数の誘導先情報が提示される場合、他のデータベースに記憶されている数が多い順に、複数の誘導先情報が提示される。
【０１２３】
図２１は、視聴した日時の順番で誘導装置４００に表示される誘導先情報の他の例を示す図である。
【０１２４】
誘導装置４００は、ユーザが番組の視聴中に興味のある場所として登録した場所を一覧表示する。図２１に示すように、誘導装置４００は、誘導先の名称、誘導先の住所、視聴した番組、及び興味ボタンを押下した日時を表示する。各誘導先は、視聴した日時の順番で表示される。このとき、入力記憶部３２０に記憶された興味情報に対応するメタ情報（誘導先の名称及び誘導先の住所）がメタ情報記憶部３３０に記憶されていない場合、誘導装置４００は、誘導先の名称及び誘導先の住所が未登録である旨を表示する。
【０１２５】
また、誘導装置４００は、誘導先の名称及び誘導先の住所が未登録である誘導先に対しては、目的地として設定するためのボタン４７７を選択できないように表示する。
【０１２６】
このように、誘導先情報が記憶されていない場合、興味情報のみが表示されるので、ユーザは、誘導先情報がまだ記憶されていない興味情報を確認することができる。
【０１２７】
図２２は、誘導装置４００に表示される現在位置に最も近い誘導先情報の一例を示す図である。
【０１２８】
誘導装置４００は、ユーザが番組の視聴中に興味のある場所として登録した場所のうち、現在位置から最も近い場所を表示する。図２２に示すように、誘導装置４００は、現在位置から最も近い誘導先の名称を表示する。また、誘導装置４００は、誘導先に対して、目的地として設定するためのボタン４７７を表示する。
【０１２９】
このように、誘導先情報を提示する誘導装置４００の現在位置に最も近い誘導先情報が提示される。
【０１３０】
図２３は、誘導装置４００に表示される、現在位置から目的地までの経路上に存在する誘導先情報の一例を示す図である。
【０１３１】
誘導装置４００は、現在位置から目的地までの経路が決定された際に、ユーザが番組の視聴中に興味のある場所として登録した場所のうち、経路付近に存在する場所を表示する。図２３に示すように、誘導装置４００は、決定された経路から所定の距離以内に存在する誘導先の名称を表示する。また、誘導装置４００は、誘導先に対して、目的地として設定するためのボタン４７７を表示する。
【０１３２】
このように、現在位置から目的地までの経路が決定され、決定された経路付近に存在する誘導先情報が提示される。
【０１３３】
図２４は、誘導装置４００に表示される、ユーザが視聴した番組で紹介された他の誘導先情報の一例を示す図である。
【０１３４】
誘導装置４００は、ユーザが番組の視聴中に興味のある場所として登録した場所以外の番組で紹介された場所を一覧表示してもよい。図２４に示すように、誘導装置４００は、誘導先の名称を表示する。このとき、表示される誘導先情報は、ユーザが興味ボタンを押下して登録した誘導先情報ではなく、同じ番組内において、ユーザが興味ボタンを押下しなかったシーンで紹介された誘導先情報である。また、誘導装置４００は、誘導先に対して、目的地として設定するためのボタン４７７を表示する。
【０１３５】
このように、ユーザが興味ボタンを押下しなかったシーンで紹介された誘導先情報が提示されてもよい。
【０１３６】
＜情報提示システム全体の動作＞
図２５は、本発明の実施の形態１における情報提示システム全体の動作を説明するためのシーケンス図である。
【０１３７】
まず、操作装置２００は、ユーザＡによるチャネル設定の入力を受け付ける操作装置２００に入力すると（ステップＳ１１０１）。
【０１３８】
次に、操作装置２００は、ユーザＡによって入力されたチャネル情報を情報提示装置１００に送信する（ステップＳ１１０２）。
【０１３９】
次に、情報提示装置１００は、操作装置２００によって送信されたチャネル情報を受信し、受信したチャネル情報に応じて受信部１１０において受信するチャネルを設定する（ステップＳ１１０３）。
【０１４０】
次に、情報提示装置１００は、設定されたチャネルに応じた映像及び音声を時系列的に出力する（ステップＳ１１０４〜ステップＳ１１１０）。例えば、情報提示装置１００は、ある時刻ではシーンＡの映像及び音声を出力し（ステップＳ１１０４）、次の時刻ではシーンＢの映像及び音声を出力し（ステップＳ１１０７）、次の時刻ではシーンＣの映像及び音声を出力し（ステップＳ１１０９）、次の時刻ではシーンＤの映像及び音声を出力する（ステップＳ１１１０）。
【０１４１】
ユーザＡは、視聴している映像及び音声に興味を持った際に、操作装置２００を操作し、興味を持ったことを知らせる。操作装置２００は、興味ボタンのユーザによる押下を受け付ける（ステップＳ１１０５）。例えば、ユーザＡは、興味のあるシーンが表示された際に、操作装置２００に設けられた興味ボタンを押下する。図２５では、シーンＢが出力されている際に、興味ボタンの押下が受け付けられている。
【０１４２】
興味ボタンの押下が受け付けられた場合、操作装置２００は、興味ボタンが押下されたタイミングで日時情報を送信する（ステップＳ１１０６）。日時情報は、情報提示装置１００に送信され、情報提示装置１００は、表示されたシーンＢで紹介された場所又は商品等にユーザＡが興味を持ったことを示す興味情報を、誘導情報管理装置３００に送信する。
【０１４３】
次に、誘導情報管理装置３００は、情報提示装置１００によって送信された興味情報を入力記憶部３２０に記憶する（ステップＳ１１０８）。
【０１４４】
次に、誘導情報管理装置３００は、ユーザＡが興味を持ったシーンＢに表示されていた場所の住所などを含むメタ情報を、メタ情報記憶部３３０に記憶する（ステップＳ１１１１）。
【０１４５】
次に、誘導情報管理装置３００は、興味情報と、メタ情報に含まれる誘導先情報とを関連付けて提示情報記憶部３５０に記憶する（ステップＳ１１１２）。
【０１４６】
次に、誘導情報管理装置３００は、ユーザＡからの、誘導先情報を要求する参照要求の入力を受け付ける（ステップＳ１１１３）。なお、誘導情報管理装置３００は、ユーザＡからの参照要求の入力を受け付けているが、本発明は特にこれに限定されず、ユーザＡとは異なるユーザＢからの参照要求の入力を受け付けてもよい。
【０１４７】
次に、誘導装置４００は、誘導先情報を取得するために、誘導先情報の参照要求を誘導情報管理装置３００に送信する（ステップＳ１１１４）。
【０１４８】
次に、誘導情報管理装置３００は、参照要求を受信し、提示情報記憶部３５０に記憶されている誘導先情報を誘導装置４００に送信する（ステップＳ１１１５）。
【０１４９】
次に、誘導装置４００は、誘導情報管理装置３００によって送信された誘導先情報を受信し、受信した誘導先情報を表示部４７０に表示する（ステップＳ１１１６）。ユーザＡは、表示された誘導先情報を参照する。
【０１５０】
次に、誘導装置４００は、表示された誘導先情報の中から、ユーザＡが希望する誘導先情報の選択を受け付ける（ステップＳ１１１７）。次に、誘導装置４００は、ユーザＡによって選択された誘導先情報を目的地に設定する（ステップＳ１１１８）。次に、誘導装置４００は、現在位置から、設定された目的地までの経路を決定し、決定した経路に従い、現在位置から目的地までユーザを案内するための経路案内情報を表示する（ステップＳ１１２０）。
【０１５１】
以上が、本発明の実施の形態１における情報提示システムの動作の説明である。
【０１５２】
＜効果＞
本情報提示システムにより、映像視聴中に、ユーザが行きたいと思った場所があるときに、当該場所に関する情報が、映像視聴時には映像データに付随していない場合であっても、映像提示後に取得することにより、ユーザが映像視聴時に興味を持った場所に誘導することができる。つまり、情報提示システムにより、映像視聴中にユーザが指定した映像のシーンを特定し、特定したシーンに関連する情報を誘導先情報として提供することができる。
【０１５３】
以上により、本情報提示システムによれば、情報提示装置により情報提示中に指定された情報を特定し、特定した情報に関連する追加の情報を取得して提供することができる。
【０１５４】
（実施の形態２）
＜全体構成＞
本実施の形態２における情報提示システムの全体構成は実施の形態１と同じである。
【０１５５】
実施の形態１と異なる点は、操作装置２００の構成である。以下の説明では、実施の形態１と異なる点についてのみ説明する。
【０１５６】
＜操作装置２００の詳細構成＞
図２６は、本発明の実施の形態２における情報提示装置１００及び操作装置２００の詳細構成を示す図である。
【０１５７】
図２６に示すように、操作装置２００は、入力部２１０、タイマ部２２０及び音声認識部２３０を備える。音声認識部２３０は、入力部２１０から入力された音声を認識して、どういうタイミングでユーザが何に興味を持ったのかを示す情報を情報提示装置１００に送信する。
【０１５８】
操作装置２００は、例えば、リモートコントローラ又はスマートフォンで構成され、音声を入力するためのアプリを動作させる。入力部２１０は、例えば、マイクを含み、周辺の音を集音する。入力部２１０は、映像情報を提示している間に、ユーザによって発話された音声を受け付ける。ユーザは、番組の視聴中に関心のある場所又は商品が紹介されると、「行きたい」、「食べたい」又は「買いたい」などの要望を示す音声を発話する。音声認識部２３０は、入力部２１０によって集音された音声に対して音声認識を行い、ユーザの要望を示す発話内容を文字列に変換した文字列情報を生成し、生成した文字列情報を情報提示装置１００に送信する。このとき、文字列情報は、例えば、ユーザが行きたい場所、又はユーザが食べたい商品又はユーザが買いたい商品を示す情報を含む。
【０１５９】
また、タイマ部２２０は、入力部２１０によって音声が取得された場合、音声が取得された時点の日時を示す日時情報を情報提示装置１００に出力する。なお、タイマ部２２０は、音声認識部２３０によって音声が要望を示す音声であると判断された場合、音声が取得された時点の日時を示す日時情報を情報提示装置１００に出力してもよい。
【０１６０】
これにより、入力部２１０は、視聴中の番組に対して要望を示す音声を発話したタイミングが、ユーザが番組に興味を持ったタイミングであると判定し、タイミング信号を出力する。タイマ部２２０は、タイミング信号の入力に応じて、合わせ日付及び時刻を示す日時情報を出力する。これにより、ユーザが視聴中の番組に興味を持ったシーンを特定することができる。また、例えば、視聴中の番組に複数の場所が表示されている場合、音声による入力を受け付ける際には、音声認識部２３０は、「ＸＸＸＸに行きたい」といったユーザの発話の内容を解析して、ユーザが「ＸＸ」に興味を持っていることを特定することができる。
【０１６１】
情報提示装置１００の通信部１５０は、操作装置２００によって送信された日時情報及び文字列情報を受信する。通信部１５０は、日時情報及び文字列情報を受信した時、チャネル情報、情報提示装置１００の識別番号及びユーザの識別番号を設定記憶部１４０から読み出す。通信部１５０は、操作装置２００から受信した日時情報及び文字列情報と、日時情報を受信した時に設定記憶部１４０から読み出したチャネル情報、情報提示装置１００の識別番号及びユーザの識別番号とを興味情報として誘導情報管理装置３００に送信する。
【０１６２】
誘導情報管理装置３００の受信部３１０は、情報提示装置１００によって送信された興味情報を受信する。入力記憶部３２０は、受信部３１０によって受信された興味情報を記憶する。
【０１６３】
図２７は、本発明の実施の形態２における入力記憶部に記憶される興味情報テーブルの一例を示す図である。
【０１６４】
図２７に示すように、入力記憶部３２０は、日時情報とチャネル情報と文字列情報とを対応付けた興味情報テーブルを記憶している。文字列情報は、ユーザが興味を持った場所又は商品を特定するための情報であり、視聴中の番組において複数の場所又は商品が紹介された場合に、どの場所又は商品に視聴者が興味を持ったかを特定するための情報である。なお、図２７に示す興味情報テーブルは、情報提示装置の識別番号及びユーザの識別番号毎に設けられる。すなわち、情報提示装置１００から送信される興味情報は、日時情報、チャネル情報、文字列情報、情報提示装置の識別番号及びユーザの識別番号を含んでおり、入力記憶部３２０は、情報提示装置の識別番号及びユーザの識別番号に対応する興味情報テーブルに、日時情報、チャネル情報及び文字列情報を関連付けて記憶する。
【０１６５】
以上、本実施の形態２における情報提示システムの構成について説明した。
【０１６６】
＜動作＞
以下、本発明の実施の形態２における情報提示システムの動作について説明する。
【０１６７】
実施の形態１と異なる点は、操作装置２００の動作である。以下の説明では、実施の形態１と異なる点についてのみ説明する。
【０１６８】
＜操作装置２００の動作＞
本実施の形態２の操作装置２００の動作について、図９のフローチャートを用いて説明する。図９のステップＳ１１において、音声認識部２３０は、ユーザの発話内容が興味を示したことを示す内容であるか否かを判断する。ここで、ユーザの発話内容が興味を示したことを示す内容であると判断された場合（ステップＳ１１でＹＥＳ）、ステップＳ１２において、音声認識部２３０は、興味を示した場所又は物品などを示す文字列情報を情報提示装置１００に送信するとともに、タイマ部２２０は、日時情報を情報提示装置１００に送信する。
【０１６９】
図２８は、本発明の実施の形態２において、ユーザが行きたい場所を音声入力により興味情報として登録する処理について説明するための図である。
【０１７０】
図２８に示すように、情報提示装置１００がテレビ番組を表示している際に、操作装置２００は、視聴者による音声入力を受け付ける。ユーザは、視聴中の番組内で興味のある場所が表示された際に、例えば「行きたいね」と発話する。操作装置２００の音声認識部２３０は、視聴者が発話した音声に対して音声認識を行い、「行きたいね」という音声が要望を示す音声であると判断する。入力された音声が要望を示す音声であると判断された場合、タイマ部２２０は、日時情報を情報提示装置１００に送信する。その後、操作装置２００は、例えば「登録します」という音声を出力する。
【０１７１】
また、音声認識部２３０は、音声に具体的な場所を特定する音声が含まれている場合、当該具体的な場所を示す文字列情報を作成し、情報提示装置１００に送信する。音声認識部２３０は、音声に具体的な場所を特定する音声が含まれていない場合、文字列情報を情報提示装置１００に送信しなくてもよい。
【０１７２】
情報提示装置１００の通信部１５０は、操作装置２００によって送信された日時情報及び文字列情報を受信する。通信部１５０は、操作装置２００から受信した日時情報及び文字列情報と、日時情報を受信した時に設定記憶部１４０から読み出したチャネル情報、情報提示装置１００の識別番号及びユーザの識別番号とを興味情報として誘導情報管理装置３００に送信する。
【０１７３】
誘導情報管理装置３００の受信部３１０は、情報提示装置１００によって送信された興味情報を受信する。入力記憶部３２０は、受信部３１０によって受信された興味情報を記憶する。
【０１７４】
図２９は、本発明の実施の形態２において、ユーザが食べに行きたい場所を音声入力により興味情報として登録する処理について説明するための図である。
【０１７５】
図２９に示すように、情報提示装置１００がテレビ番組を表示している際に、操作装置２００は、視聴者による音声入力を受け付ける。ユーザは、視聴中の番組内で興味のある場所が表示された際に、例えば「食べたいね」と発話する。操作装置２００の音声認識部２３０は、視聴者が発話した音声に対して音声認識を行い、「食べたいね」という音声が要望を示す音声であると判断する。入力された音声が要望を示す音声であると判断された場合、タイマ部２２０は、日時情報を情報提示装置１００に送信する。その後、操作装置２００は、例えば「登録します」という音声を出力する。その他の処理は、図２８と同様である。
【０１７６】
図３０は、本発明の実施の形態２において、ユーザが買いたい商品を音声入力により興味情報として登録する処理について説明するための図である。
【０１７７】
図３０に示すように、情報提示装置１００がテレビ番組を表示している際に、操作装置２００は、視聴者による音声入力を受け付ける。ユーザは、視聴中の番組内で興味のある商品が表示された際に、例えば「買いたいね」と発話する。操作装置２００の音声認識部２３０は、視聴者が発話した音声に対して音声認識を行い、「買いたいね」という音声が要望を示す音声であると判断する。入力された音声が要望を示す音声であると判断された場合、タイマ部２２０は、日時情報を情報提示装置１００に送信する。その後、操作装置２００は、例えば「登録します」という音声を出力する。その他の処理は、図２８と同様である。
【０１７８】
図３１は、本発明の実施の形態２において、視聴中の番組に複数の場所が表示されている場合、ユーザが食べたい商品を音声入力により興味情報として登録する処理について説明するための図である。
【０１７９】
図３１に示すように、情報提示装置１００がテレビ番組を表示している際に、操作装置２００は、視聴者による音声入力を受け付ける。このとき、テレビ番組には、複数の商品が表示されており、単に「食べたいね」という音声が入力されたとしても、どの商品を食べたいのかを特定することができない。そこで、ユーザは、視聴中の番組内で複数の商品が表示され、その中に興味のある商品が表示されている際に、例えば「ＢＢラーメン食べたいね」と発話する。操作装置２００の音声認識部２３０は、視聴者が発話した音声に対して音声認識を行い、「食べたいね」という音声が要望を示す音声であると判断する。
【０１８０】
また、音声認識部２３０は、「ＢＢラーメン」という音声が特定の商品を示す音声であると判断する。入力された音声が要望を示す音声であると判断された場合、タイマ部２２０は、日時情報を情報提示装置１００に送信する。また、入力された音声が特定の商品を示す音声であると判断された場合、音声認識部２３０は、特手斧商品を示す音声を文字列情報に変換し、文字列情報を情報提示装置１００に送信する。その後、操作装置２００は、例えば「登録します」という音声を出力する。その他の処理は、図２８と同様である。
【０１８１】
以上、本実施の形態２における情報提示システムの動作について説明した。
【０１８２】
＜効果＞
本情報提示システムにより、映像視聴中に、複数の場所又は物などの情報が提示されていた場合、ユーザがどの場所又は物に興味を持ったのかを特定することができる。つまり、情報提示システムにより、映像視聴中に、ユーザが指定した映像のシーンに提示されている複数の情報（場所又は物）の中から、ユーザが指定する情報を特定し、特定したシーンに関連する情報を誘導先情報として提供することができる。
【０１８３】
以上により、本情報提示システムによれば、情報提示装置により情報提示中に指定された情報を特定し、特定した情報に関連する追加の情報を取得して提供することができる。
【０１８４】
（実施の形態３）
＜全体構成＞
本実施の形態３における情報提示システムの全体構成は実施の形態１と同じである。
【０１８５】
実施の形態１と異なる点は、操作装置２００の構成である。以下の説明では、実施の形態１と異なる点についてのみ説明する。
【０１８６】
＜操作装置２００の詳細構成＞
図３２は、本発明の実施の形態３における情報提示装置１００及び操作装置２００の詳細構成を示す図である。
【０１８７】
図３２に示すように、操作装置２００は、入力部２１０、タイマ部２２０及び座標認識部２４０を備える。
【０１８８】
入力部２１０は、ユーザが興味を持った映像が表示された際に、押下する興味ボタンを含む。
【０１８９】
入力部２１０は、ユーザの視線を検出するカメラを含む。座標認識部２４０は、映像情報を提示している間に、ユーザの画面上の視線の位置を示す視線情報を受け付ける。座標認識部２４０は、入力部２１０から入力されたユーザの視線の画面上の位置座標を特定し、特定した位置座標を情報提示装置１００に送信する。また、座標認識部２４０は、興味ボタンが押下されたことをトリガにして、入力部２１０から入力されたユーザの視線の画面上の位置座標を特定する。これにより、情報提示装置１００に提示された映像のうちのどの位置座標に提示されていた場所又は物にユーザが興味を持ったのかを特定することができる。
【０１９０】
また、入力部２１０は、ポインティングデバイスを含んでもよい。この場合、座標認識部２４０は、ポインティングデバイスによって指示される画面上の位置座標の入力操作を受け付ける。座標認識部２４０は、入力部２１０から入力されたポインティングデバイスの示す位置座標を特定し、特定した位置座標を情報提示装置１００に送信してもよい。また、座標認識部２４０は、興味ボタンが押下されたことをトリガにして、入力部２１０から入力されたポインティングデバイスの示す位置座標を特定する。
【０１９１】
情報提示装置１００の通信部１５０は、操作装置２００によって送信された日時情報及び位置座標情報を受信する。通信部１５０は、日時情報及び位置座標情報を受信した時、チャネル情報、情報提示装置１００の識別番号及びユーザの識別番号を設定記憶部１４０から読み出す。通信部１５０は、操作装置２００から受信した日時情報及び位置座標情報と、日時情報を受信した時に設定記憶部１４０から読み出したチャネル情報、情報提示装置１００の識別番号及びユーザの識別番号とを興味情報として誘導情報管理装置３００に送信する。
【０１９２】
誘導情報管理装置３００の受信部３１０は、情報提示装置１００によって送信された興味情報を受信する。入力記憶部３２０は、受信部３１０によって受信された興味情報を記憶する。登録部３４０は、位置座標情報に対応付けられている誘導先情報をメタ情報記憶部３３０から取得する。メタ情報記憶部３３０は、誘導先情報を位置座標情報に対応付けて記憶している。提示情報記憶部３５０は、日時情報と、映像特定情報と、登録部３４０によって取得された誘導先情報とを記憶する。
【０１９３】
図３３は、本発明の実施の形態３における入力記憶部に記憶される興味情報テーブルの一例を示す図である。
【０１９４】
図３３に示すように、入力記憶部３２０は、日時情報とチャネル情報と位置座標情報とを対応付けた興味情報テーブルを記憶している。位置座標情報は、ユーザが興味を持った場所又は商品を特定するための情報であり、視聴中の番組において複数の場所又は商品が紹介された場合に、どの場所又は商品に視聴者が興味を持ったかを特定するための情報である。位置座標は、画素の位置座標で表される。なお、図３３に示す興味情報テーブルは、情報提示装置の識別番号及びユーザの識別番号毎に設けられる。すなわち、情報提示装置１００から送信される興味情報は、日時情報、チャネル情報、位置座標情報、情報提示装置の識別番号及びユーザの識別番号を含んでおり、入力記憶部３２０は、情報提示装置の識別番号及びユーザの識別番号に対応する興味情報テーブルに、日時情報、チャネル情報及び位置座標情報を関連付けて記憶する。
【０１９５】
以上、本実施の形態３における情報提示システムの構成について説明した。
【０１９６】
＜動作＞
以下、本発明の実施の形態３における情報提示システムの動作について説明する。
【０１９７】
実施の形態１と異なる点は、操作装置２００の動作である。以下の説明では、実施の形態１と異なる点についてのみ説明する。
【０１９８】
＜操作装置２００の動作＞
本実施の形態３の操作装置２００の動作について、図９のフローチャートを用いて説明する。図９のステップＳ１１において、入力部２１０は、ユーザが興味を持ったことを示す興味ボタンが押下されたか否かを判断する。なお、入力部２１０は、音声入力があったか否かを判断してもよい。ここで、興味ボタンが押下されたと判断された場合（ステップＳ１１でＹＥＳ）、タイマ部２２０は、興味ボタンが押下された時のタイマ情報を日時情報として情報提示装置１００に送信する。
【０１９９】
次に、座標認識部２４０は、興味ボタンが押下された時の視線の画面上の位置座標を特定し、特定した位置座標情報を情報提示装置１００に送信する。このとき、座標認識部２４０は、興味ボタンが押下された時のポインティングデバイスの示す位置座標を特定し、特定した位置座標を情報提示装置１００に送信してもよい。
【０２００】
図３４は、本発明の実施の形態３において、ユーザが食べたい商品を音声入力及び視線検出により興味情報として登録する処理について説明するための図である。
【０２０１】
図３４に示すように、情報提示装置１００がテレビ番組を表示している際に、操作装置２００は、視聴者による音声入力を受け付ける。なお、図３４では、情報提示装置１００は、操作装置２００を備えている。このとき、テレビ番組には、複数の商品が表示されており、単に「食べたいね」という音声が入力されたとしても、どの商品を食べたいのかを特定することができない。そこで、ユーザは、視聴中の番組内で複数の商品が表示され、その中に興味のある商品が表示されている際に、興味のある商品を見ながら「食べたいね」と発話する。操作装置２００の音声認識部２３０（不図示）は、視聴者が発話した音声に対して音声認識を行い、「食べたいね」という音声が要望を示す音声であると判断する。
【０２０２】
また、座標認識部２４０は、ユーザの視線の画面上の位置座標を特定する。入力された音声が要望を示す音声であると判断された場合、タイマ部２２０は、日時情報を情報提示装置１００に送信する。また、座標認識部２４０は、特定した位置座標情報を情報提示装置１００に送信する。
【０２０３】
情報提示装置１００の通信部１５０は、操作装置２００によって送信された日時情報及び位置座標情報を受信する。通信部１５０は、操作装置２００から受信した日時情報及び位置座標情報と、日時情報を受信した時に設定記憶部１４０から読み出したチャネル情報、情報提示装置１００の識別番号及びユーザの識別番号とを興味情報として誘導情報管理装置３００に送信する。
【０２０４】
誘導情報管理装置３００の受信部３１０は、情報提示装置１００によって送信された興味情報を受信する。入力記憶部３２０は、受信部３１０によって受信された興味情報を記憶する。
【０２０５】
図３５は、本発明の実施の形態３において、ユーザが食べたい商品をポインティングデバイスにより興味情報として登録する処理について説明するための図である。
【０２０６】
図３５に示すように、情報提示装置１００がテレビ番組を表示している際に、操作装置２００は、視聴者によるポインティングデバイスの入力操作を受け付ける。ポインティングデバイスは、例えばマウス２１２である。なお、図３５では、情報提示装置１００は、操作装置２００を備えている。このとき、テレビ番組には、複数の商品が表示されている。ユーザは、視聴中の番組内で複数の商品が表示され、その中に興味のある商品が表示されている際に、興味のある商品にポインタを合わせ、マウス２１２に設けられたボタンを押下する。マウス２１２に設けられたボタンが、興味ボタンに対応する。
【０２０７】
座標認識部２４０は、ポインタの位置座標を特定する。タイマ部２２０は、日時情報を情報提示装置１００に送信する。また、座標認識部２４０は、特定した位置座標情報を情報提示装置１００に送信する。その他の処理は、図３４と同様である。
【０２０８】
以上、本実施の形態３における情報提示システムの動作について説明した。
【０２０９】
＜効果＞
本情報提示システムにより、映像視聴中に、複数の場所又は物などの情報が提示されていた場合、ユーザがどの場所又は物に興味を持ったのかを特定することができる。つまり、情報提示システムにより、映像視聴中に、ユーザが指定した映像のシーンに提示されている複数の情報（場所又は物）の中から、ユーザが指定する情報を特定し、特定したシーンに関連する情報を誘導先情報として提供することができる。
【０２１０】
以上により、本情報提示システムによれば、情報提示装置により情報提示中に指定された情報を特定し、特定した情報に関連する追加の情報を取得して提供することができる。
【０２１１】
（実施の形態４）
＜全体構成＞
本実施の形態４における情報提示システムの全体構成は実施の形態１と同じである。
【０２１２】
実施の形態１と異なる点は、操作装置２００の構成である。以下の説明では、実施の形態１と異なる点についてのみ説明する。
【０２１３】
＜操作装置２００の詳細構成＞
図３６は、本発明の実施の形態４における情報提示装置１００及び操作装置２００の詳細構成を示す図である。
【０２１４】
図３６に示すように、操作装置２００は、入力部２１０、タイマ部２２０及び文字入力部２５０を備える。入力部２１０は、映像情報を提示している間に、ユーザによって入力された文字を受け付ける。文字入力部２５０は、入力部２１０から入力された文字列の意味を解釈し、文字列情報を生成し、生成した文字列情報を情報提示装置１００に送信する。ユーザは、番組の視聴中に関心のある場所又は商品が紹介されると、「行きたい」、「食べたい」又は「買いたい」などの要望を示す文字を入力する。このとき、文字列情報は、例えば、ユーザが行きたい場所、又はユーザが食べたい商品又はユーザが買いたい商品を示す情報を含んでもよい。
【０２１５】
以上、本実施の形態４における情報提示システムの構成について説明した。
【０２１６】
＜動作＞
以下、本発明の実施の形態４における情報提示システムの動作について説明する。
【０２１７】
実施の形態１と異なる点は、操作装置２００の動作である。以下の説明では、実施の形態１〜３と異なる点についてのみ説明する。
【０２１８】
＜操作装置２００の動作＞
本実施の形態４の操作装置２００の動作について、図９のフローチャートを用いて説明する。図９のステップＳ１１において、文字入力部２５０は、ユーザが入力した文字列の内容が興味を示したことを示す内容であるか否かを判断する。ここで、ユーザが入力した文字列の内容が興味を示したことを示す内容であると判断された場合（ステップＳ１１でＹＥＳ）、ステップＳ１２において、文字入力部２５０は、興味を示した場所又は物品などを示す文字列情報を情報提示装置１００に送信するとともに、タイマ部２２０は、日時情報を情報提示装置１００に送信する。
【０２１９】
図３７は、本発明の実施の形態４において、ユーザが行きたい場所を文字入力により興味情報として登録する処理について説明するための図である。
【０２２０】
図３７に示すように、情報提示装置１００がテレビ番組を表示している際に、操作装置２００は、視聴者による文字入力を受け付ける。ユーザは、視聴中の番組内で興味のある場所が表示された際に、例えば「行きたいね」と入力する。操作装置２００の文字入力部２５０は、視聴者が入力した文字列に対して意味を解釈し、「行きたいね」という文字列が要望を示す文字列であると判断する。入力された文字列が要望を示す文字列であると判断された場合、タイマ部２２０は、日時情報を情報提示装置１００に送信する。
【０２２１】
また、文字入力部２５０は、文字列に具体的な場所を特定する文字列が含まれている場合、当該具体的な場所を示す文字列情報を作成し、情報提示装置１００に送信する。文字入力部２５０は、文字列に具体的な場所を特定する文字列が含まれていない場合、文字列情報を情報提示装置１００に送信しなくてもよい。
【０２２２】
情報提示装置１００の通信部１５０は、操作装置２００によって送信された日時情報及び文字列情報を受信する。通信部１５０は、操作装置２００から受信した日時情報及び文字列情報と、日時情報を受信した時に設定記憶部１４０から読み出したチャネル情報、情報提示装置１００の識別番号及びユーザの識別番号とを興味情報として誘導情報管理装置３００に送信する。
【０２２３】
誘導情報管理装置３００の受信部３１０は、情報提示装置１００によって送信された興味情報を受信する。入力記憶部３２０は、受信部３１０によって受信された興味情報を記憶する。
【０２２４】
以上、本実施の形態４における情報提示システムの動作について説明した。
【０２２５】
＜効果＞
本情報提示システムにより、映像視聴中に、複数の場所又は物などの情報が提示されていた場合、ユーザがどの場所又は物に興味を持ったのかを特定することができる。つまり、情報提示システムにより、映像視聴中に、ユーザが指定した映像のシーンに提示されている複数の情報（場所又は物）の中から、ユーザが指定する情報を特定し、特定したシーンに関連する情報を誘導先情報として提供することができる。
【０２２６】
以上により、本情報提示システムによれば、情報提示装置により情報提示中に指定された情報を特定し、特定した情報に関連する追加の情報を取得して提供することができる。
【０２２７】
（実施の形態５）
＜全体構成＞
本実施の形態５における情報提示システムの全体構成は実施の形態１と同じである。
【０２２８】
実施の形態１と異なる点は、誘導装置４００の構成である。以下の説明では、実施の形態１と異なる点についてのみ説明する。
【０２２９】
誘導装置４００は、例えば、ウェブブラウザで構成される。
【０２３０】
＜誘導装置４００の詳細構成＞
図３８は、本発明の実施の形態５における誘導装置４００の詳細構成を示す図である。
【０２３１】
図３８に示すように、誘導装置４００は、通信部４１０、入力部４２０、表示部４７０及び誘導先設定部を備える。
【０２３２】
通信部４１０は、入力部４２０によって誘導先情報の参照要求が入力された場合は、誘導情報管理装置３００へ参照要求を送信する。また、通信部４１０は、誘導情報管理装置３００によって送信された誘導先情報を受信する。
【０２３３】
入力部４２０は、ユーザによる誘導装置４００への操作を受け付ける。例えば、入力部４２０は、誘導先情報を参照するための参照要求の入力を受け付ける。また、入力部４２０は、参照したいＷｅｂページのＵＲＬの入力を受け付ける。
【０２３４】
表示部４７０は、ユーザに対する誘導装置４００の操作画面又は情報提示画面を表示する。表示部４７０は、映像だけでなく、音声によってユーザに対して誘導先情報を提示してもよい。誘導装置４００が、例えば、カーナビゲーション装置、スマートフォン又はタブレット型コンピュータである場合、カーナビゲーション装置、スマートフォン又はタブレット型コンピュータは、それぞれの画面に誘導先情報を提示してもよいし、それぞれのスピーカから誘導先情報を音声で出力してもよい。
【０２３５】
誘導先設定部４８０は、通信部４１０によって受信された誘導先情報を参照したユーザが、入力部４２０を用いて特定の誘導先情報を選択した際に、選択した誘導先情報を保持するとともに設定し、通信部４１０にＷｅｂページの参照を要求する。
【０２３６】
以上、本発明の実施の形態５における情報提示システムの構成について説明した。
【０２３７】
＜動作＞
以下、本発明の実施の形態５における情報提示システムの動作について説明する。
【０２３８】
実施の形態１と異なる点は、誘導装置４００の動作である。以下の説明では、実施の形態１と異なる点についてのみ説明する。
【０２３９】
＜誘導装置４００の動作＞
本実施の形態５の誘導装置４００の動作について、図１５のフローチャートを用いて説明する。図１５のステップＳ３８において、誘導先設定部４８０は、誘導先のＷｅｂページを決定する。次に、ステップＳ３９において、表示部４７０は、誘導先設定部４８０によって決定されたＷｅｂページを表示する。
【０２４０】
以上、本実施の形態５における情報提示システムの動作について説明した。
【０２４１】
＜効果＞
本情報提示システムにより、映像視聴中に、複数の場所又は物などの情報が提示されていた場合、ユーザが興味を持った場所又は物にユーザを誘導するための誘導先情報を得ることができる。つまり、情報提示システムにより、映像視聴中に、ユーザが指定した映像のシーンに提示されている複数の情報（場所又は物）の中から、ユーザが指定する情報を特定し、特定したシーンに関連する情報を誘導先情報として提供することができる。
【０２４２】
以上により、本情報提示システムによれば、情報提示装置により情報提示中に指定された情報を特定し、特定した情報に関連する追加の情報を取得して提供することができる。
【０２４３】
（実施の形態６）
＜全体構成＞
本実施の形態６における情報提示システムの全体構成は実施の形態１と同じである。
【０２４４】
実施の形態１と異なる点は、誘導情報管理装置３００の構成である。以下の説明では、実施の形態１と異なる点についてのみ説明する。
【０２４５】
＜誘導情報管理装置３００の詳細構成＞
図３９は、本発明の実施の形態６における誘導情報管理装置３００の詳細構成を示す図である。
【０２４６】
図３９に示すように、誘導情報管理装置３００は、受信部３１０、入力記憶部３２０、メタ情報記憶部３３０、登録部３４０、提示情報記憶部３５０、送信部３６０及びメタ情報生成部３８０を備える。
【０２４７】
メタ情報生成部３８０は、映像情報に基づいて誘導先情報を生成する。メタ情報生成部３８０は、情報提示装置１００に対して送信された放送波を復号した映像及び音声、録画した映像及び音声、インターネット上の情報又はインターネット上のデータベースを参照して、必要に応じて画像認識、音声認識又は文字認識などを行うことで、メタ情報を生成する。例えば、メタ情報生成部３８０は、映像に含まれる画像と、複数のユーザが複数の場所で撮影した画像との相関関係を演算する。そして、メタ情報生成部３８０は、２つの画像が類似している場合、映像に含まれる画像の場所は、ユーザによって撮影された画像の場所と同じであると判断し、ユーザによって撮影された画像に付与されている位置情報をメタ情報として出力する。また、例えば、メタ情報生成部３８０は、提示されている音声を認識及び解析し、音声に含まれる位置情報を、提示されている音声に関連するメタ情報として出力してもよい。
【０２４８】
＜誘導情報管理装置３００の詳細構成の変形例＞
図４０は、本発明の実施の形態６の変形例における誘導情報管理装置３００の詳細構成を示す図である。
【０２４９】
図４０に示すように、誘導情報管理装置３００は、受信部３１０、入力記憶部３２０、メタ情報記憶部３３０、登録部３４０、提示情報記憶部３５０、送信部３６０及びメタ情報生成部３８０を備える。
【０２５０】
メタ情報生成部３８０は、入力記憶部３２０に記憶されている情報を参照して、生成するメタ情報の優先度を決定してもよい。また、メタ情報生成部３８０は、入力記憶部３２０に興味情報が保持されていない提示情報又はシーンについては、メタ情報を付与しないと判断することができる。メタ情報生成部３８０は、複数の誘導先情報が生成された場合、受け付けられた入力操作に応じて、複数の誘導先情報の優先度を決定する。
【０２５１】
複数のユーザの興味情報を取得して入力記憶部３２０で保持することで、より多くのユーザが興味を持った誘導先情報を優先的に登録することが可能となる。
【０２５２】
以上、本発明の実施の形態６における情報提示システムの構成について説明した。
【０２５３】
＜動作＞
以下、本発明の実施の形態６における情報提示システムの動作について説明する。
【０２５４】
実施の形態１と異なる点は、誘導情報管理装置３００の動作である。以下の説明では、実施の形態１と異なる点についてのみ説明する。
【０２５５】
＜誘導情報管理装置３００の動作＞
本実施の形態６の誘導情報管理装置３００の動作について、図１２のフローチャートを用いて説明する。図１２のステップＳ２３において、興味情報によって特定される番組のメタ情報を記憶していないと判断された場合（ステップＳ２３でＮＯ）、メタ情報生成部３８０は、映像情報に基づいてメタ情報（誘導先情報）を生成する。次に、登録部３４０は、メタ情報（誘導先情報）が生成されたか否かを判断する。ここで、メタ情報（誘導先情報）が生成されたと判断された場合、ステップＳ２４の処理に移行する。一方、メタ情報（誘導先情報）が生成されないと判断された場合、ステップＳ２６の処理に移行する。
【０２５６】
以上、本実施の形態６における情報提示システムの動作について説明した。
【０２５７】
＜効果＞
本情報提示システムにより、映像視聴中に、複数の場所又は物などの情報が提示されていなくても、興味を持った場所又は物にユーザを誘導するための誘導先情報を得ることができる。つまり、情報提示装置により映像視聴中に、ユーザが指定した映像のシーンを特定し、特定したシーンを解析して関連する追加の情報（誘導先情報）を出力することができる。
【０２５８】
以上により、本情報提示システムによれば、情報提示装置により情報提示中に指定された情報を特定し、特定した情報に関連する追加の情報を取得して提供することができる。
【０２５９】
（補足）
各実施の形態では、１の情報提示装置１００と１の操作装置２００とが接続されているが、本発明は特にこれに限定されず、１の情報提示装置１００と複数の操作装置２００とが接続されてもよく、複数の情報提示装置１００と１の操作装置２００とが接続されてもよい。
【０２６０】
各実施の形態を組み合わせでもよい。例えば、実施の形態２と実施の形態６とを組み合わせてもよい。
【０２６１】
上記態様において説明された技術は、例えば、以下のクラウドサービスの類型において実現されうる。しかし、上記態様において説明された技術が実現されるクラウドサービスの類型はこれに限られるものでない。
【０２６２】
（サービスの類型１：自社データセンタ型クラウドサービス）
図４１は、サービスの類型１（自社データセンタ型クラウドサービス）における情報提示システムが提供するサービスの全体像を示す図である。本類型では、サービスプロバイダ１２００がグループ１０００から情報を取得し、ユーザに対してサービスを提供する。本類型では、サービスプロバイダ１２００が、データセンタ運営会社の機能を有している。すなわち、サービスプロバイダ１２００が、ビッグデータを管理するクラウドサーバ１１１０を保有している。したがって、データセンタ運営会社は存在しない。
【０２６３】
本類型では、サービスプロバイダ１２００は、データセンタ（クラウドサーバ）２０３０を運営及び管理している。また、サービスプロバイダ１２００は、オペレーティングシステム（ＯＳ）２０２０及びアプリケーション２０１０を管理する。サービスプロバイダ１２００は、サービスプロバイダ１２００が管理するＯＳ２０２０及びアプリケーション２０１０を用いてサービスを提供する（矢印２０４０）。
【０２６４】
（サービスの類型２：ＩａａＳ利用型クラウドサービス）
図４２は、サービスの類型２（ＩａａＳ利用型クラウドサービス）における情報提示システムが提供するサービスの全体像を示す図である。ここで、ＩａａＳとは、インフラストラクチャー・アズ・ア・サービスの略であり、コンピュータシステムを構築及び稼動させるための基盤そのものを、インターネット経由のサービスとして提供するクラウドサービス提供モデルである。
【０２６５】
本類型では、データセンタ運営会社１１００が、データセンタ（クラウドサーバ）２０３０を運営及び管理している。また、サービスプロバイダ１２００は、ＯＳ２０２０及びアプリケーション２０１０を管理する。サービスプロバイダ１２００は、サービスプロバイダ１２００が管理するＯＳ２０２０及びアプリケーション２０１０を用いてサービスを提供する（矢印２０４０）。
【０２６６】
（サービスの類型３：ＰａａＳ利用型クラウドサービス）
図４３は、サービスの類型３（ＰａａＳ利用型クラウドサービス）における情報提示システムが提供するサービスの全体像を示す図である。ここで、ＰａａＳとは、プラットフォーム・アズ・ア・サービスの略であり、ソフトウェアを構築及び稼動させるための土台となるプラットフォームを、インターネット経由のサービスとして提供するクラウドサービス提供モデルである。
【０２６７】
本類型では、データセンタ運営会社１１００は、ＯＳ２０２０を管理し、データセンタ（クラウドサーバ）２０３０を運営及び管理している。また、サービスプロバイダ１２００は、アプリケーション２０１０を管理する。サービスプロバイダ１２００は、データセンタ運営会社１１００が管理するＯＳ２０２０及びサービスプロバイダ１２００が管理するアプリケーション２０１０を用いてサービスを提供する（矢印２０４０）。
【０２６８】
（サービスの類型４：ＳａａＳ利用型クラウドサービス）
図４４は、サービスの類型４（ＳａａＳ利用型クラウドサービス）における情報提示システムが提供するサービスの全体像を示す図である。ここで、ＳａａＳとは、ソフトウェア・アズ・ア・サービスの略である。ＳａａＳ利用型クラウドサービスは、例えば、データセンタ（クラウドサーバ）を保有しているプラットフォーム提供者が提供するアプリケーションを、データセンタ（クラウドサーバ）を保有していない会社又は個人などのユーザがインターネットなどのネットワーク経由で使用できる機能を有するクラウドサービス提供モデルである。
【０２６９】
本類型では、データセンタ運営会社１１００は、アプリケーション２０１０を管理し、ＯＳ２０２０を管理し、データセンタ（クラウドサーバ）２０３０を運営及び管理している。また、サービスプロバイダ１２００は、データセンタ運営会社１１００が管理するＯＳ２０２０及びアプリケーション２０１０を用いてサービスを提供する（矢印２０４０）。
【０２７０】
以上、いずれのクラウドサービスの類型においても、サービスプロバイダ１２００がサービスを提供する。また、例えば、サービスプロバイダ又はデータセンタ運営会社は、ＯＳ、アプリケーション又はビックデータのデータベース等を自ら開発してもよいし、また、第三者に外注させてもよい。
【０２７１】
なお、本発明を上記実施の形態及びその変形例に基づいて説明してきたが、本発明は、上記の実施の形態及びその変形例に限定されないのはもちろんである。以下のような変形例も本発明に含まれる。
【０２７２】
（１）上記の各装置は、具体的には、マイクロプロセッサ、ＲＯＭ（リードオンリーメモリ）、ＲＡＭ（ランダムアクセスメモリ）、ハードディスクユニット、ディスプレイユニット、キーボード及びマウスなどから構成されるコンピュータシステムである。ＲＡＭ又はハードディスクユニットは、コンピュータプログラムを記憶している。マイクロプロセッサがコンピュータプログラムに従って動作することにより、各装置の機能が達成される。ここで、コンピュータプログラムは、所定の機能を達成するために、コンピュータに対する指令を示す複数の命令コードが組み合わされて構成されたものである。
【０２７３】
（２）上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されてもよい。システムＬＳＩは、複数の構成部を１個のチップ上に集積して製造された超多機能ＬＳＩであり、具体的には、マイクロプロセッサ、ＲＯＭ及びＲＡＭなどから構成されるコンピュータシステムである。ＲＡＭは、コンピュータプログラムを記憶している。マイクロプロセッサが、コンピュータプログラムに従って動作することにより、システムＬＳＩの機能が達成される。
【０２７４】
また、上記の各装置を構成する構成要素の各部は、個別に１チップ化されていてもよいし、構成要素の一部が１チップ化されてもよいし、構成要素のすべてが１チップ化されてもよい。
【０２７５】
また、ここでは、システムＬＳＩとしたが、集積度の違いにより、ＩＣ（Ｉｎｔｅｇｒａｔｅｄ  Ｃｉｒｃｕｉｔ）、ＬＳＩ、スーパーＬＳＩ又はウルトラＬＳＩと呼称されることもある。また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、ＬＳＩ製造後にＬＳＩ内部の回路セルの接続又は設定を再構成可能なリコンフィギュラブル・プロセッサを利用してもよい。
【０２７６】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０２７７】
（３）上記の各装置を構成する構成要素の一部又は全部は、各装置に脱着可能なＩＣカード又は単体のモジュールから構成されてもよい。ＩＣカード又はモジュールは、マイクロプロセッサ、ＲＯＭ及びＲＡＭなどから構成されるコンピュータシステムである。ＩＣカード又はモジュールは、上記の超多機能ＬＳＩを含んでもよい。マイクロプロセッサが、コンピュータプログラムに従って動作することにより、ＩＣカード又はモジュールの機能が達成される。ＩＣカード又はモジュールは、耐タンパ性を有してもよい。
【０２７８】
（４）本発明は、上記に示す方法であってもよい。また、本発明は、これらの方法をコンピュータにより実現するコンピュータプログラムであってもよいし、コンピュータプログラムからなるデジタル信号であってもよい。
【０２７９】
また、本発明は、上記のコンピュータプログラム又はデジタル信号を記録した、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）又は半導体メモリなどのコンピュータ読み取り可能な記録媒体であってもよい。また、本発明は、これらの記録媒体に記録されているデジタル信号であってもよい。
【０２８０】
また、本発明は、コンピュータプログラム又はデジタル信号を、電気通信回線、無線通信回線、有線通信回線、インターネットを代表とするネットワーク又はデータ放送等を経由して伝送してもよい。
【０２８１】
また、本発明は、マイクロプロセッサとメモリとを備えたコンピュータシステムであって、メモリは、上記コンピュータプログラムを記憶しており、マイクロプロセッサは、上記コンピュータプログラムに従って動作してもよい。
【０２８２】
また、本発明は、コンピュータプログラム又はデジタル信号を記録媒体に記録して移送することにより、またはコンピュータプログラム又はデジタル信号をネットワーク等を経由して移送することにより、独立した他のコンピュータシステムにより実施してもよい。
【０２８３】
（５）本発明は、上記実施の形態及び上記変形例をそれぞれ組み合わせてもよい。
【０２８４】
なお、上述した具体的実施形態には以下の構成を有する発明が主に含まれている。
【０２８５】
本発明の一局面に係る情報提示方法は、映像情報を提示する映像情報提示ステップと、前記映像情報が提示されている間に、ユーザによる所定の入力操作を受け付ける操作ステップと、前記操作ステップにおいて前記入力操作が受け付けられた日時を示す日時情報と、前記入力操作が受け付けられた際に前記映像情報提示ステップにおいて提示された前記映像情報を特定するための映像特定情報とによって特定される、前記ユーザを誘導するための誘導先を示す誘導先情報を取得する誘導先取得ステップと、前記日時情報と前記映像特定情報と前記誘導先情報とを関連付けてデータベースに記憶する記憶ステップと、前記ユーザからの要求に応じて前記誘導先情報を提示する誘導先提示ステップと、を含む。
【０２８６】
この構成によれば、映像情報が提示され、映像情報が提示されている間に、ユーザによる所定の入力操作が受け付けられる。入力操作が受け付けられた日時を示す日時情報と、入力操作が受け付けられた際に提示された映像情報を特定するための映像特定情報とによって特定される、ユーザを誘導するための誘導先を示す誘導先情報が取得される。日時情報と映像特定情報と誘導先情報とが関連付けられてデータベースに記憶される。そして、ユーザからの要求に応じて誘導先情報が提示される。
【０２８７】
したがって、入力操作が受け付けられた日時を示す日時情報と、入力操作が受け付けられた際に提示された映像情報を特定するための映像特定情報とによって特定される、ユーザを誘導するための誘導先を示す誘導先情報が取得され、日時情報と映像特定情報と誘導先情報とが関連付けられてデータベースに記憶されるので、ユーザが映像情報を視聴している間に興味を持った場面で紹介された誘導先にユーザを誘導することができる。
【０２８８】
また、上記の情報提示方法において、前記誘導先情報は、前記日時情報と前記映像特定情報とによって特定される、前記映像情報において紹介された場所を示す情報を含むことが好ましい。
【０２８９】
この構成によれば、映像情報において紹介された場所にユーザを誘導することができる。
【０２９０】
また、上記の情報提示方法において、前記誘導先情報は、前記日時情報と前記映像特定情報とによって特定される、前記映像情報において紹介された商品を販売するネットワーク上のアドレスを示す情報を含むことが好ましい。
【０２９１】
この構成によれば、映像情報において紹介された商品を販売するネットワーク上のアドレスにユーザを誘導することができる。
【０２９２】
また、上記の情報提示方法において、前記操作ステップは、前記映像情報を提示している間に、前記ユーザによる所定のボタンの押下を受け付けることが好ましい。
【０２９３】
この構成によれば、ユーザによる所定のボタンの押下を受け付けることにより、映像情報を視聴している間に興味を持った場面をユーザは容易に指定することができる。
【０２９４】
また、上記の情報提示方法において、前記操作ステップは、前記映像情報を提示している間に、前記ユーザによって発話された音声を受け付けることが好ましい。
【０２９５】
この構成によれば、ユーザによって発話された音声を受け付けることにより、映像情報を視聴している間に興味を持った場面をユーザは容易に指定することができる。
【０２９６】
また、上記の情報提示方法において、前記操作ステップは、前記映像情報を提示している間に、前記ユーザによって入力された文字を受け付けることが好ましい。
【０２９７】
この構成によれば、ユーザによって入力された文字を受け付けることにより、映像情報を視聴している間に興味を持った場面をユーザは容易に指定することができる。
【０２９８】
また、上記の情報提示方法において、前記誘導先提示ステップは、前記誘導先情報を画面上に表示し、前記操作ステップは、前記映像情報を提示している間に、前記ユーザの前記画面上の視線の位置を示す視線情報を受け付けることが好ましい。
【０２９９】
この構成によれば、誘導先情報が画面上に表示され、ユーザの画面上の視線の位置を示す視線情報を受け付けることにより、１つの場面に複数の場所又は商品が表示されている場合に、どの場所又は商品に視聴者が興味を持っているかを特定することができる。
【０３００】
また、上記の情報提示方法において、前記操作ステップは、ポインティングデバイスによって指示される画面上の位置座標の入力操作を受け付け、前記操作ステップにおいて受け付けられた前記位置座標に対応付けられている前記誘導先情報を取得する取得ステップをさらに含み、前記記憶ステップは、前記日時情報と、前記映像特定情報と、前記取得ステップにおいて取得された前記誘導先情報とを記憶することが好ましい。
【０３０１】
この構成によれば、ポインティングデバイスによって指示される画面上の位置座標の入力操作が受け付けられ、受け付けられた位置座標に対応付けられている誘導先情報が取得されるので、１つの場面に複数の場所又は商品が表示されている場合に、どの場所又は商品に視聴者が興味を持っているかを特定することができる。
【０３０２】
また、上記の情報提示方法において、前記記憶ステップは、前記ユーザを識別するためのユーザ情報をさらに関連付けて記憶することが好ましい。
【０３０３】
この構成によれば、用者を識別するためのユーザ情報がさらに関連付けて記憶されるので、ユーザ毎にデータベースを作成することができる。
【０３０４】
また、上記の情報提示方法において、前記記憶ステップは、前記映像情報提示ステップにおいて前記映像情報を提示する情報提示装置を識別するための情報提示装置識別情報をさらに関連付けて記憶することが好ましい。
【０３０５】
この構成によれば、映像情報を提示する情報提示装置を識別するための情報提示装置識別情報がさらに関連付けて記憶されるので、情報提示装置毎にデータベースを作成することができる。
【０３０６】
また、上記の情報提示方法において、前記記憶ステップは、前記誘導先提示ステップにおいて前記誘導先情報を提示する誘導装置を識別するための誘導装置識別情報をさらに関連付けて記憶することが好ましい。
【０３０７】
この構成によれば、誘導先情報を提示する誘導装置を識別するための誘導装置識別情報がさらに関連付けて記憶されるので、誘導装置毎にデータベースを作成することができる。
【０３０８】
また、上記の情報提示方法において、前記ユーザによる入力操作が受け付けられた際に提示された前記映像情報に含まれる画像と、他のユーザが複数の場所で撮影した画像とが類似しているか否かを判断し、類似している画像が存在する場合、前記他のユーザによって撮影された画像に付与されている位置情報を前記誘導先情報として生成する生成ステップ
をさらに含むことが好ましい。
【０３０９】
この構成によれば、映像情報に誘導先情報を付与する必要がなく、他のユーザによって撮影された画像に付与されている位置情報を利用して誘導先情報を生成することができる。
【０３１０】
また、上記の情報提示方法において、前記生成ステップは、複数の誘導先情報が生成された場合、前記操作ステップにおいて受け付けられた入力操作に応じて、前記複数の誘導先情報の優先度を決定し、前記誘導先提示ステップは、決定された前記優先度に応じて前記複数の誘導先情報を提示することが好ましい。
【０３１１】
この構成によれば、複数の誘導先情報が生成された場合、受け付けられた入力操作に応じて、複数の誘導先情報の優先度が決定されるので、より多くの入力操作が行われた場面については、優先的に誘導先情報を生成することができる。
【０３１２】
また、上記の情報提示方法において、前記記憶ステップにおいて前記誘導先情報が前記データベースに記憶された後に、前記誘導先情報が前記データベースに記憶されたことを示す情報を提示する記憶完了提示ステップをさらに含むことが好ましい。
【０３１３】
この構成によれば、誘導先情報がデータベースに記憶された後に、誘導先情報がデータベースに記憶されたことを示す情報が提示されるので、ユーザは、映像情報の中の興味を持った場面で紹介された誘導先に誘導可能であることを知ることができる。
【０３１４】
また、上記の情報提示方法において、前記誘導先提示ステップは、前記ユーザからの要求に応じて、前記誘導先情報が前記データベースに記憶されているか否かを提示することが好ましい。
【０３１５】
この構成によれば、ユーザからの要求に応じて、誘導先情報がデータベースに記憶されているか否かが提示されるので、ユーザは、誘導先情報がデータベースに記憶されているか否かを確認することができる。
【０３１６】
また、上記の情報提示方法において、前記誘導先提示ステップは、複数の誘導先情報が提示される場合、前記映像情報が提示された順に、前記複数の誘導先情報を提示することが好ましい。
【０３１７】
この構成によれば、映像情報が提示された順に、複数の誘導先情報を提示することができる。
【０３１８】
また、上記の情報提示方法において、前記データベースに記憶されている前記誘導先情報と同じ誘導先情報が、複数の他のユーザによって他のデータベースに記憶されている数を計数する計数ステップをさらに含み、前記誘導先提示ステップは、複数の誘導先情報が提示される場合、前記他のデータベースに記憶されている数が多い順に、前記複数の誘導先情報を提示することが好ましい。
【０３１９】
この構成によれば、他のデータベースに記憶されている数が多い順に、複数の誘導先情報を提示することができる。
【０３２０】
また、上記の情報提示方法において、前記誘導先提示ステップは、複数の誘導先情報が提示される場合、前記複数の誘導先情報を提示する提示装置の現在位置から近い順に、前記複数の誘導先情報を提示することが好ましい。
【０３２１】
この構成によれば、複数の誘導先情報を提示する提示装置の現在位置から近い順に、複数の誘導先情報を提示することができる。
【０３２２】
本発明の他の局面に係る操作プログラムは、ユーザによる操作を受け付けるための操作プログラムであって、映像情報が提示されている間に、前記ユーザによる所定の入力操作を受け付ける操作部と、前記操作部によって前記入力操作が受け付けられた日時を示す日時情報を送信する送信部としてコンピュータを機能させ、前記日時情報は、前記入力操作が受け付けられた際に提示された前記映像情報を特定するための映像特定情報とともに、前記ユーザを誘導するための誘導先を示す誘導先情報を特定するために利用される。
【０３２３】
この構成によれば、映像情報が提示されている間に、ユーザによる所定の入力操作が受け付けられ、入力操作が受け付けられた日時を示す日時情報が送信される。そして、日時情報は、入力操作が受け付けられた際に提示された映像情報を特定するための映像特定情報とともに、ユーザを誘導するための誘導先を示す誘導先情報を特定するために利用される。したがって、ユーザが映像情報を視聴している間に興味を持った場面を指定することができ、当該興味を持った場面で紹介された誘導先にユーザを誘導することができる。
【０３２４】
本発明の他の局面に係る情報提示システムは、映像情報を提示する情報提示装置と、前記映像情報が提示されている間に、ユーザによる所定の入力操作を受け付ける操作装置と、前記操作装置によって前記入力操作が受け付けられた日時を示す日時情報と、前記入力操作が受け付けられた際に前記情報提示装置によって提示された前記映像情報を特定するための映像特定情報と、前記日時情報と前記映像特定情報とによって特定される、前記ユーザを誘導するための誘導先を示す誘導先情報とを関連付けてデータベースに記憶する誘導情報管理装置と、前記誘導情報管理装置によって記憶された前記誘導先情報を提示する提示装置と、を備える。
【０３２５】
この構成によれば、映像情報が提示され、映像情報が提示されている間に、ユーザによる所定の入力操作が受け付けられる。入力操作が受け付けられた日時を示す日時情報と、入力操作が受け付けられた際に提示された映像情報を特定するための映像特定情報と、日時情報と映像特定情報とによって特定される、ユーザを誘導するための誘導先を示す誘導先情報とが関連付けられてデータベースに記憶される。そして、ユーザからの要求に応じて誘導先情報が提示される。
【０３２６】
したがって、入力操作が受け付けられた日時を示す日時情報と、入力操作が受け付けられた際に提示された映像情報を特定するための映像特定情報と、日時情報と映像特定情報とによって特定される、ユーザを誘導するための誘導先を示す誘導先情報とが関連付けられてデータベースに記憶されるので、ユーザが映像情報を視聴している間に興味を持った場面で紹介された誘導先にユーザを誘導することができる。
【０３２７】
なお、情報提示装置が、操作装置の機能を有してもよい。また、情報提示装置が、提示装置の機能を有してもよい。さらに、情報提示装置が、操作装置及び提示装置の機能を有してもよい。
【産業上の利用可能性】
【０３２８】
本発明に係る情報提示方法、操作プログラム及び情報提示システムは、ユーザが映像情報を視聴している間に興味を持った場面で紹介された誘導先にユーザを誘導することができ、情報を提示する情報提示方法、操作プログラム及び情報提示システムとして有用である。
【図１】
2015015779.tif 000003
【図２】
2015015779.tif 000004
【図３】
2015015779.tif 000005
【図４】
2015015779.tif 000006
【図５】
2015015779.tif 000007
【図６】
2015015779.tif 000008
【図７】
2015015779.tif 000009
【図８】
2015015779.tif 000010
【図９】
2015015779.tif 000011
【図１０】
2015015779.tif 000012
【図１１】
2015015779.tif 000013
【図１２】
2015015779.tif 000014
【図１３】
2015015779.tif 000015
【図１４】
2015015779.tif 000016
【図１５】
2015015779.tif 000017
【図１６】
2015015779.tif 000018
【図１７】
2015015779.tif 000019
【図１８】
2015015779.tif 000020
【図１９】
2015015779.tif 000021
【図２０】
2015015779.tif 000022
【図２１】
2015015779.tif 000023
【図２２】
2015015779.tif 000024
【図２３】
2015015779.tif 000025
【図２４】
2015015779.tif 000026
【図２５】
2015015779.tif 000027
【図２６】
2015015779.tif 000028
【図２７】
2015015779.tif 000029
【図２８】
2015015779.tif 000030
【図２９】
2015015779.tif 000031
【図３０】
2015015779.tif 000032
【図３１】
2015015779.tif 000033
【図３２】
2015015779.tif 000034
【図３３】
2015015779.tif 000035
【図３４】
2015015779.tif 000036
【図３５】
2015015779.tif 000037
【図３６】
2015015779.tif 000038
【図３７】
2015015779.tif 000039
【図３８】
2015015779.tif 000040
【図３９】
2015015779.tif 000041
【図４０】
2015015779.tif 000042
【図４１】
2015015779.tif 000043
【図４２】
2015015779.tif 000044
【図４３】
2015015779.tif 000045
【図４４】
2015015779.tif 000046
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
映像情報を提示する映像情報提示ステップと、
前記映像情報が提示されている間に、ユーザによる所定の入力操作を受け付ける操作ステップと、
前記操作ステップにおいて前記入力操作が受け付けられた日時を示す日時情報と、前記入力操作が受け付けられた際に前記映像情報提示ステップにおいて提示された前記映像情報を特定するための映像特定情報とによって特定される、前記ユーザを誘導するための誘導先を示す誘導先情報を取得する誘導先取得ステップと、
前記ユーザにより入力操作が受け付けられた際に提示された前記映像情報と、他のユーザから取得した場所を示す情報とが対応可能な場合に、前記場所を示す情報を前記誘導先情報として生成する生成ステップと、
前記日時情報と前記映像特定情報と前記誘導先情報とを関連付けてデータベースに記憶する記憶ステップと、
前記ユーザからの要求に応じて前記誘導先情報を提示する誘導先提示ステップと、
を含む情報提示方法。
【請求項２】
前記誘導先情報は、前記日時情報と前記映像特定情報とによって特定される、前記映像情報において紹介された場所を示す情報を含む、
請求項１記載の情報提示方法。
【請求項３】
前記誘導先情報は、前記日時情報と前記映像特定情報とによって特定される、前記映像情報において紹介された商品を販売するネットワーク上のアドレスを示す情報を含む、
請求項１記載の情報提示方法。
【請求項４】
前記操作ステップは、前記映像情報を提示している間に、前記ユーザによる所定のボタンの押下を受け付ける、
請求項１〜３のいずれかに記載の情報提示方法。
【請求項５】
前記操作ステップは、前記映像情報を提示している間に、前記ユーザによって発話された音声を受け付ける、
請求項１〜３のいずれかに記載の情報提示方法。
【請求項６】
前記操作ステップは、前記映像情報を提示している間に、前記ユーザによって入力された文字を受け付ける、
請求項１〜３のいずれかに記載の情報提示方法。
【請求項７】
前記操作ステップは、前記映像情報を提示している間に、前記ユーザの画面上の視線の位置を示す視線情報を受け付ける、
請求項１〜６のいずれかに記載の情報提示方法。
【請求項８】
前記誘導先提示ステップは、前記誘導先情報を画面上に表示し、
前記操作ステップは、ポインティングデバイスによって指示される前記画面上の位置座標の入力操作を受け付け、
前記操作ステップにおいて受け付けられた前記位置座標に対応付けられている前記誘導先情報を取得する取得ステップをさらに含み、
前記記憶ステップは、前記日時情報と、前記映像特定情報と、前記取得ステップにおいて取得された前記誘導先情報とを記憶する、
請求項１〜６のいずれかに記載の情報提示方法。
【請求項９】
前記記憶ステップは、前記ユーザを識別するためのユーザ情報をさらに関連付けて記憶する、
請求項１〜８のいずれかに記載の情報提示方法。
【請求項１０】
前記記憶ステップは、前記映像情報提示ステップにおいて前記映像情報を提示する情報提示装置を識別するための情報提示装置識別情報をさらに関連付けて記憶する、
請求項１〜９のいずれかに記載の情報提示方法。
【請求項１１】
前記記憶ステップは、前記誘導先提示ステップにおいて前記誘導先情報を提示する誘導装置を識別するための誘導装置識別情報をさらに関連付けて記憶する、
請求項１〜１０のいずれかに記載の情報提示方法。
【請求項１２】
前記生成ステップは、前記ユーザによる入力操作が受け付けられた際に提示された前記映像情報に含まれる画像と、他のユーザが複数の場所で撮影した画像とが類似しているか否かを判断し、類似している画像が存在する場合、前記他のユーザによって撮影された画像に付与されている位置情報を前記誘導先情報として生成する、
請求項１〜１１のいずれかに記載の情報提示方法。
【請求項１３】
前記生成ステップは、複数の誘導先情報が生成された場合、前記操作ステップにおいて受け付けられた入力操作に応じて、前記複数の誘導先情報の優先度を決定し、
前記誘導先提示ステップは、決定された前記優先度に応じて前記複数の誘導先情報を提示する、
請求項１２記載の情報提示方法。
【請求項１４】
前記記憶ステップにおいて前記誘導先情報が前記データベースに記憶された後に、前記誘導先情報が前記データベースに記憶されたことを示す情報を提示する記憶完了提示ステップをさらに含む、
請求項１〜１３のいずれかに記載の情報提示方法。
【請求項１５】
前記誘導先提示ステップは、前記ユーザからの要求に応じて、前記誘導先情報が前記データベースに記憶されているか否かを提示する、
請求項１〜１４のいずれかに記載の情報提示方法。
【請求項１６】
前記誘導先提示ステップは、複数の誘導先情報が提示される場合、前記映像情報が提示された順に、前記複数の誘導先情報を提示する、
請求項１〜１２のいずれかに記載の情報提示方法。
【請求項１７】
前記データベースに記憶されている前記誘導先情報と同じ誘導先情報が、複数の他のユーザによって他のデータベースに記憶されている数を計数する計数ステップをさらに含み、
前記誘導先提示ステップは、複数の誘導先情報が提示される場合、前記他のデータベースに記憶されている数が多い順に、前記複数の誘導先情報を提示する、
請求項１〜１２のいずれかに記載の情報提示方法。
【請求項１８】
前記誘導先提示ステップは、複数の誘導先情報が提示される場合、前記複数の誘導先情報を提示する提示装置の現在位置から近い順に、前記複数の誘導先情報を提示する、
請求項１〜１２のいずれかに記載の情報提示方法。
【請求項１９】
ユーザによる操作を受け付けるための操作プログラムであって、
映像情報が提示されている間に、前記ユーザによる所定の入力操作を受け付ける操作部と、
前記操作部によって前記入力操作が受け付けられた日時を示す日時情報を送信する送信部としてコンピュータを機能させ、
前記日時情報は、前記入力操作が受け付けられた際に提示された前記映像情報を特定するための映像特定情報とともに、前記ユーザを誘導するための誘導先を示す誘導先情報を特定するために利用され、
前記ユーザにより入力操作が受け付けられた際に提示された前記映像情報と、他のユーザから取得した場所を示す情報とが対応可能な場合に、前記場所を示す情報が前記誘導先情報として生成される、
操作プログラム。
【請求項２０】
映像情報を提示する情報提示装置と、
前記映像情報が提示されている間に、ユーザによる所定の入力操作を受け付ける操作装置と、
前記操作装置によって前記入力操作が受け付けられた日時を示す日時情報と、前記入力操作が受け付けられた際に前記情報提示装置によって提示された前記映像情報を特定するための映像特定情報と、前記日時情報と前記映像特定情報とによって特定される、前記ユーザを誘導するための誘導先を示す誘導先情報とを関連付けてデータベースに記憶する誘導情報管理装置と、
前記誘導情報管理装置によって記憶された前記誘導先情報を提示する提示装置と、
を備え、
前記誘導情報管理装置は、前記ユーザにより入力操作が受け付けられた際に提示された前記映像情報と、他のユーザから取得した場所を示す情報とが対応可能な場合に、前記場所を示す情報を前記誘導先情報として生成する、
情報提示システム。
【請求項２１】
前記生成ステップは、前記ユーザによる入力操作が受け付けられた際に提示された前記映像情報に含まれる音声を認識し、前記音声に含まれる位置情報を前記誘導先情報として生成する、
請求項１に記載の情報提示方法。
【請求項２２】
前記生成ステップは、同じ前記映像情報を視聴した前記他のユーザによる場所を示す情報の入力を受け付け、受け付けた前記場所を示す情報を前記誘導先情報とする、
請求項１記載の情報提示方法。
【国際調査報告】
2015015779.tif 000047
2015015779.tif 000048
2015015779.tif 000049
2015015779.tif 000050